(57)【特許請求の範囲】
【請求項１】
測定報告のための１つ以上の無線アクセスネットワークノードを判定するための、ワイヤレス通信デバイス（２５０）により実行される方法であって、前記測定報告は、第１のワイヤレス通信ネットワーク（２０１）に関連付けられる測定結果を第２のワイヤレス通信ネットワーク（２０２）において動作するネットワークノード（２４０）へ報告することを含み、前記第１のワイヤレス通信ネットワーク（２０１）は、第１の無線アクセス技術（ＲＡＴ）に従って動作し、前記第２のワイヤレス通信ネットワーク（２０２）は、第２のＲＡＴに従って動作し、前記方法は、
前記第１のワイヤレス通信ネットワーク（２０１）において動作する１つ以上の無線アクセスネットワークノード（２１１ａ，２１１ｂ，２１２ａ，２１２ｂ）の標識（４４０，４５０）を、前記ネットワークノード（２４０）から受信すること（４００，４０１，５０１）と、前記１つ以上の無線アクセスネットワークノード（２１１ａ，２１１ｂ，２１２ａ，２１２ｂ）の前記標識（４４０，４５０）は、前記ワイヤレス通信デバイス（２５０）がモビリティを実行し得る無線アクセスネットワークノードのセットであるモビリティセット（３７０）の標識であることと、
前記１つ以上の無線アクセスネットワークノード（２１１ａ，２１１ｂ，２１２ａ，２１２ｂ）の前記標識（４４０，４５０）に基づいて、前記ネットワークノード（２４０）への測定報告のために、前記第１のワイヤレス通信ネットワーク（２０１）において動作するどの無線アクセスネットワークノードが使用されるべきかを判定すること（４０２ａ，４０２ｂ，５０２）と、前記判定（４０２ａ，４０２ｂ，５０２）は、前記モビリティセット（３７０）内の前記無線アクセスネットワークノード（２１１ａ，２１１ｂ，２１２ａ，２１２ｂ）のうちの少なくとも１つが前記ネットワークノード（２４０）への測定報告の目的のためのサービングＷＬＡＮであり、前記モビリティセット（３７０）内にない無線アクセスネットワークノードが前記ネットワークノード（２４０）への測定報告の目的のための隣接ＷＬＡＮであると判定すること、を含むことと、
を含む方法。
【請求項２】
前記第１のワイヤレス通信ネットワーク（２０１）において動作する前記無線アクセスネットワークノード（２１１ａ，２１１ｂ，２１２ａ，２１２ｂ，２１３ａ，２１３ｂ）は、ワイヤレスローカルエリアネットワーク（ＷＬＡＮ）アクセスポイント（ＡＰ）であり、前記判定すること（４０２ａ，４０２ｂ，５０２）は、測定報告のために使用されるべき前記無線アクセスネットワークノード（２１３ａ，２１３ｂ）を含めて、サービングＷＬＡＮ及び隣接ＷＬＡＮのうちのいずれか１つ以上を判定すること、を含む、請求項１に記載の方法。
【請求項３】
前記判定すること（４０２ａ，４０２ｂ，５０２）は、前記モビリティセット（３７０）内の接続済みの無線アクセスネットワークノード（２１１ａ，２１１ｂ，２１２ａ，２１２ｂ）がサービングＷＬＡＮであり、前記モビリティセット（３７０）内にない無線アクセスネットワークノードが隣接ＷＬＡＮであると判定すること、を含み、前記ワイヤレス通信デバイス（２５０）が前記接続済みの無線アクセスネットワークノード（２１１ａ，２１１ｂ，２１２ａ，２１２ｂ）へ接続されている、請求項１〜２のいずれかに記載の方法。
【請求項４】
前記標識（４４０，４５０）は、前記１つ以上の無線アクセスネットワークノード（２１１ａ，２１１ｂ，２１２ａ，２１２ｂ）の識別子（４６０）を含み、前記識別子（４６０）は、
−ＳＳＩＤ（Service  Set  Identifiers）、
−ＨＥＳＳＩＤ（Homogeneous  Extended  Service  Set  Identifiers）、
−ＢＳＳＩＤ（Basic  Service  Set  Identifiers）、
−領域（Realm）、及び
−ＰＬＭＮ（Public  Land  Mobile  Network）、
のうちの１つ以上を含む、請求項１〜３のいずれかに記載の方法。
【請求項５】
前記判定すること（４０２ａ，４０２ｂ，５０２）は、前記１つ以上の無線アクセスネットワークノード（２１１ａ，２１１ｂ，２１２ａ，２１２ｂ）の前記識別子（４６０）が特定の無線アクセスネットワークノード（２１１ａ，２１１ｂ，２１２ａ，２１２ｂ）の特定の識別子である場合に、前記モビリティセット（３７０）内の前記無線アクセスネットワークノード（２１１ａ，２１１ｂ，２１２ａ，２１２ｂ）がサービングＷＬＡＮであると判定すること、をさらに含む、請求項４に記載の方法。
【請求項６】
前記第１のワイヤレス通信ネットワーク（２０１）は、ＷＬＡＮであり、前記第２のワイヤレス通信ネットワーク（２０２）は、ＬＴＥ（Long  Term  Evolution）ネットワー
ク及びＵＭＴＳ（Universal  Mobile  Telecommunications  System）ネットワークのう
ちのいずれかといった３ＧＰＰネットワークである、請求項１〜５のいずれかに記載の方法。
【請求項７】
前記第１のワイヤレス通信ネットワーク（２０１）において動作する複数の無線アクセスネットワークノード（２１１ａ，２１１ｂ，２１２ａ，２１２ｂ，２１３ａ，２１３ｂ）からの１つ以上の無線信号に関連するメトリックを測定すること（４０３ａ，４０３ｂ，５０３）と、
前記モビリティセット（３７０）の前記標識（４４０，４５０）に基づいて、及び、測定される前記メトリックにさらに基づいて、測定報告に関連するイベントが発生したかを判定すること（４０４，５０４）と、前記モビリティセット（３７０）内の全ての無線アクセスネットワークノード（２１１ａ，２１１ｂ，２１２ａ，２１２ｂ）が閾値よりも劣悪である場合に、前記イベントが発生したと判定されることと、
前記イベントが発生した場合に、測定結果を報告すること（４０５，５０５）と、
をさらに含む、請求項１〜６のいずれかに記載の方法。
【請求項８】
前記第１のワイヤレス通信ネットワーク（２０１）において動作する複数の無線アクセスネットワークノード（２１１ａ，２１１ｂ，２１２ａ，２１２ｂ，２１３ａ，２１３ｂ）からの１つ以上の無線信号に関連するメトリックを測定すること（４０３ａ，４０３ｂ，５０３）と、
前記モビリティセット（３７０）の前記標識（４４０，４５０）に基づいて、及び、測定される前記メトリックにさらに基づいて、測定報告に関連するイベントが発生したかを判定すること（４０４，５０４）と、前記モビリティセット（３７０）内にない無線アクセスネットワークノード（２１３ａ，２１３ｂ）が閾値よりも良好となる場合に、前記イベントが発生したと判定されることと、
前記イベントが発生した場合に、測定結果を報告すること（４０５，５０５）と、
をさらに含む、請求項１〜６のいずれかに記載の方法。
【請求項９】
前記第１のワイヤレス通信ネットワーク（２０１）において動作する複数の無線アクセスネットワークノード（２１１ａ，２１１ｂ，２１２ａ，２１２ｂ，２１３ａ，２１３ｂ）からの１つ以上の無線信号に関連するメトリックを測定すること（４０３ａ，４０３ｂ，５０３）と、
前記モビリティセット（３７０）の前記標識（４４０，４５０）に基づいて、及び、測定される前記メトリックにさらに基づいて、測定報告に関連するイベントが発生したかを判定すること（４０４，５０４）と、
前記モビリティセット（３７０）内にない無線アクセスネットワークノード（２１３ａ，２１３ｂ）が第１の閾値よりも良好となる場合において、
前記モビリティセット（３７０）内の全ての無線アクセスネットワークノード（２１１ａ，２１１ｂ，２１２ａ，２１２ｂ）が第２の閾値よりも劣悪であるときに、
測定報告に関連する前記イベントが発生したと判定されることと、
前記イベントが発生した場合に、測定結果を報告すること（４０５，５０５）と、
をさらに含む、請求項１〜６のいずれかに記載の方法。
【請求項１０】
測定報告のための１つ以上の無線アクセスネットワークノードを判定するためのワイヤレス通信デバイス（２５０）であって、前記測定報告は、第１のワイヤレス通信ネットワーク（２０１）に関連付けられる測定結果を第２のワイヤレス通信ネットワーク（２０２）において動作するネットワークノード（２４０）へ報告することを含み、前記第１のワイヤレス通信ネットワーク（２０１）は、第１の無線アクセス技術（ＲＡＴ）に従って動作し、前記第２のワイヤレス通信ネットワーク（２０２）は、第２のＲＡＴに従って動作し、前記ワイヤレス通信デバイス（２５０）は、
前記第１のワイヤレス通信ネットワーク（２０１）において動作する１つ以上の無線アクセスネットワークノード（２１１ａ，２１１ｂ，２１２ａ，２１２ｂ）の標識（４４０，４５０）であって、前記ワイヤレス通信デバイス（２５０）がモビリティを実行し得る無線アクセスネットワークノードのセットであるモビリティセット（３７０）の標識である当該標識（４４０，４５０）を、前記ネットワークノード（２４０）から受信し、
前記１つ以上の無線アクセスネットワークノード（２１１ａ，２１１ｂ，２１２ａ，２１２ｂ）の前記標識（４４０，４５０）に基づいて、前記ネットワークノード（２４０）への測定報告のために、前記第１のワイヤレス通信ネットワーク（２０１）において動作するどの無線アクセスネットワークノード（２１３ａ，２１３ｂ）が使用されるべきかを判定する、
ように構成され、前記ワイヤレス通信デバイス（２５０）は、前記モビリティセット（３７０）内の前記無線アクセスネットワークノード（２１１ａ，２１１ｂ，２１２ａ，２１２ｂ）のうちの少なくとも１つが前記ネットワークノード（２４０）への測定報告の目的のためのサービングＷＬＡＮであり、前記モビリティセット（３７０）内にない無線アクセスネットワークノードが前記ネットワークノード（２４０）への測定報告の目的のための隣接ＷＬＡＮであると判定する、ように構成される、
ワイヤレス通信デバイス（２５０）。
【請求項１１】
前記ワイヤレス通信デバイス（２５０）は、測定報告のために使用されるべき前記無線アクセスネットワークノード（２１３ａ，２１３ｂ）を含めて、サービングＷＬＡＮ及び隣接ＷＬＡＮのうちのいずれか１つ以上を判定する、ように構成される、請求項１０に記載のワイヤレス通信デバイス（２５０）。
【請求項１２】
前記ワイヤレス通信デバイス（２５０）は、前記モビリティセット（３７０）内の接続済みの無線アクセスネットワークノード（２１１ａ，２１１ｂ，２１２ａ，２１２ｂ）がサービングＷＬＡＮであり、前記モビリティセット（３７０）内にない無線アクセスネットワークノードが隣接ＷＬＡＮであると判定する、ように構成される、請求項１０〜１１のいずれかに記載のワイヤレス通信デバイス（２５０）。
【請求項１３】
前記標識（４４０，４５０）は、前記１つ以上の無線アクセスネットワークノード（２１１ａ，２１１ｂ，２１２ａ，２１２ｂ）の識別子（４６０）を含み、前記識別子（４６０）は、
−ＳＳＩＤ（Service  Set  Identifiers）、
−ＨＥＳＳＩＤ（Homogeneous  Extended  Service  Set  Identifiers）、
−ＢＳＳＩＤ（Basic  Service  Set  Identifiers）、
−領域（Realm）、及び
−ＰＬＭＮ（Public  Land  Mobile  Network）、
のうちの１つ以上を含む、請求項１０〜１２のいずれかに記載のワイヤレス通信デバイス
（２５０）。
【請求項１４】
前記ワイヤレス通信デバイス（２５０）は、前記１つ以上の無線アクセスネットワークノード（２１１ａ，２１１ｂ，２１２ａ，２１２ｂ）の前記識別子（４６０）が特定の無線アクセスネットワークノード（２１１ａ，２１１ｂ，２１２ａ，２１２ｂ）の特定の識別子である場合に、前記モビリティセット（３７０）内の前記無線アクセスネットワークノード（２１１ａ，２１１ｂ，２１２ａ，２１２ｂ）がサービングＷＬＡＮであると判定する、ように構成される、請求項１３に記載のワイヤレス通信デバイス（２５０）。
【請求項１５】
前記第１のワイヤレス通信ネットワーク（２０１）は、ＷＬＡＮであり、前記第２のワイヤレス通信ネットワーク（２０２）は、ＬＴＥ（Long  Term  Evolution）ネットワー
ク及びＵＭＴＳ（Universal  Mobile  Telecommunications  System）ネットワークのう
ちのいずれかといった３ＧＰＰネットワークである、請求項１０〜１４のいずれかに記載
のワイヤレス通信デバイス（２５０）。
【請求項１６】
前記第１のワイヤレス通信ネットワーク（２０１）において動作する複数の無線アクセスネットワークノード（２１１ａ，２１１ｂ，２１２ａ，２１２ｂ，２１３ａ，２１３ｂ）からの１つ以上の無線信号に関連するメトリックを測定し、
前記モビリティセット（３７０）の前記標識（４４０，４５０）に基づいて、及び、測定される前記メトリックにさらに基づいて、測定報告に関連するイベントが発生したかを判定し、
前記イベントが発生した場合に、測定結果を報告する、
ようにさらに構成され、
前記ワイヤレス通信デバイス（２５０）は、前記モビリティセット（３７０）内の全ての無線アクセスネットワークノード（２１１ａ，２１１ｂ，２１２ａ，２１２ｂ）が閾値よりも劣悪である場合に、前記イベントが発生したと判定する、ように構成される、
請求項１０〜１５のいずれかに記載のワイヤレス通信デバイス（２５０）。
【請求項１７】
前記第１のワイヤレス通信ネットワーク（２０１）において動作する複数の無線アクセスネットワークノード（２１１ａ，２１１ｂ，２１２ａ，２１２ｂ，２１３ａ，２１３ｂ）からの１つ以上の無線信号に関連するメトリックを測定し、
前記モビリティセット（３７０）の前記標識（４４０，４５０）に基づいて、及び、測定される前記メトリックにさらに基づいて、測定報告に関連するイベントが発生したかを判定し、
前記イベントが発生した場合に、測定結果を報告する、
ようにさらに構成され、
前記ワイヤレス通信デバイス（２５０）は、前記モビリティセット（３７０）内にない無線アクセスネットワークノード（２１３ａ，２１３ｂ）が閾値よりも良好となる場合に
、前記イベントが発生したと判定する、ように構成される、
請求項１０〜１５のいずれかに記載のワイヤレス通信デバイス（２５０）。
【請求項１８】
前記第１のワイヤレス通信ネットワーク（２０１）において動作する複数の無線アクセスネットワークノード（２１１ａ，２１１ｂ，２１２ａ，２１２ｂ，２１３ａ，２１３ｂ）からの１つ以上の無線信号に関連するメトリックを測定し、
前記モビリティセット（３７０）の前記標識（４４０，４５０）に基づいて、及び、測定される前記メトリックにさらに基づいて、測定報告に関連するイベントが発生したかを判定し、
前記イベントが発生した場合に、測定結果を報告する、
ようにさらに構成され、
前記ワイヤレス通信デバイス（２５０）は、
前記モビリティセット（３７０）内にない無線アクセスネットワークノード（２１３ａ，２１３ｂ）が第１の閾値よりも良好となる場合において、
前記モビリティセット（３７０）内の全ての無線アクセスネットワークノード（２１１ａ，２１１ｂ，２１２ａ，２１２ｂ）が第２の閾値よりも劣悪であるときに、
測定報告に関連する前記イベントが発生したと判定する、
ように構成される、請求項１０〜１５のいずれかに記載のワイヤレス通信デバイス（２
５０）。
【請求項１９】
プロセッサ（７８０）において実行される場合に、請求項１〜９のいずれかの方法を遂行するソフトウェア命令（７９２）、を含むコンピュータプログラム。
【発明の詳細な説明】
【技術分野】
【０００１】
ここでの実施形態は、異なる無線アクセス技術を伴う複数のワイヤレス通信ネットワークの統合のためのワイヤレス通信デバイス、ネットワークノード及びそれらにおける方法に関連する。より具体的には、ここでの実施形態は、そうしたワイヤレス通信ネットワークの間の測定報告に関連する。
【背景技術】
【０００２】
典型的な無線通信ネットワークにおいて、移動局及び／又はユーザ機器（ＵＥ）としても知られるワイヤレス通信デバイスは、１つ以上のコアネットワーク（ＣＮ）へ無線アクセスネットワーク（ＲＡＮ）を介して通信する。無線アクセスネットワークは、複数のセルエリアへ分割される地理的エリアをカバーし、各セルエリアは例えば無線基地局（ＲＢＳ）である基地局によりサービスされる。基地局は、いくつかのネットワークでは、例えば“ノードＢ”又は“ｅＮｏｄｅＢ”とも呼ばれ得る。セルは、基地局サイトにおける無線基地局により、又はアンテナと無線基地局とが共設されないケースではアンテナサイトにより無線カバレッジが提供される地理的エリアである。各セルは、セル内でブロードキャストされる、局所的な無線エリアの範囲内のアイデンティティにより識別される。モバイルネットワーク全体でセルを一意に識別する他のアイデンティティもまたセル内でブロードキャストされる。１つの基地局が１つ以上のセルを有してもよい。セルは、ダウンリンク及び／又はアップリンクセルであってよい。基地局は、基地局のレンジ内でユーザ機器と無線周波数上で動作するエアインタフェース上で通信する。
【０００３】
ＵＭＴＳ（Universal  Mobile  Telecommunications  System）は、第３世代のモバイル通信システムであり、当該システムは、第２世代（２Ｇ）のＧＳＭ（Global  System  for  Mobile  Communications）から進化した。ＵＴＲＡＮ（UMTS  terrestrial  radio  access  network）は、本質的に、ユーザ機器についてＷＣＤＭＡ（wideband  code  division  multiple  access）及び／又はＨＳＰＡ（High  Speed  Packet  Access）を用いるＲＡＮである。３ＧＰＰ（3rd  Generation  Partnership  Project）として知られるフォーラムにおいて、通信サプライヤは、第３世代ネットワーク及び特にＵＴＲＡＮについて標準を提案し及び合意し、並びに、強化されたデータレート及び無線キャパシティを探求している。例えばＵＭＴＳにおけるもののようなＲＡＮのいくつかのバージョンにおいて、複数の基地局が、例えば地上回線又はマイクロ波によって無線ネットワークコントローラ（ＲＮＣ）又は基地局コントローラ（ＢＳＣ）といったコントローラノードへ接続され得る。コントローラノードは、当該コントローラノードへ接続される複数の基地局の多様なアクティビティを監督し及び協調させる。ＲＮＣは、典型的には、１つ以上のコアネットワークへ接続される。
【０００４】
ＥＰＳ（Evolved  Packet  System）についての規格は、３ＧＰＰ（3rd  Generation  Partnership  Project）内で完了済みであり、来たるべき３ＧＰＰリリースにおいてさらに発展する。ＥＰＳは、ＬＴＥ無線アクセスとしても知られるＥ−ＵＴＲＡＮ（Evolved  Universal  Terrestrial  Radio  Access  Network）と、ＳＡＥ（System  Architecture  Evolution）コアネットワークとしても知られるＥＰＣ（Evolved  Packet  Core）とを含む。Ｅ−ＵＴＲＡＮ／ＬＴＥは、無線基地局ノードがＥＰＣネットワークへ直接的に接続されるという、３ＧＰＰ無線アクセス技術の一変種であり、即ち、ＵＭＴＳにおいてＲＮＣ（Radio  Network  Controller）で実現されたような無線ネットワークコントローラの概念は存在しない。概して、ＥＰＳでは、ＲＮＣの機能は、ｅＮＢとコアネットワークとの間で分散される。そのため、ＥＰＳのＲＡＮは、本質的には、ＲＮＣにより制御されることの無い、複数の無線基地局を含む“フラットな”アーキテクチャを有する。
【０００５】
図１ａにおいて、ｅＮＢ及び発展型パケットコアノードを含む、ＬＴＥシステムの簡略化されたアーキテクチャがブロック図として示されている。図１ａにおいて、発展型パケットコアノードは、モビリティ管理エンティティ（ＭＭＥ）として示されている。ｅＮＢは、Ｓ１接続を用いてＭＭＥと接続される。Ｓ１は、ｅＮＢとＭＭＥとの間のインタフェースである。ＭＭＥは、制御ノードとして使用される。例えば、ＭＭＥは、再送を含む、アイドルモードＵＥのトラッキング及びページング手続を担当する。ＭＭＥは、さらに、ベアラのアクティブ化／非アクティブ化プロセスに携わり、初期のアタッチの際に及び発展型パケットコアノードの再配置を含むＬＴＥ内ハンドオーバの時に、ＵＥについてサービングゲートウェイ（ＳＧＷ）を選択することをも担当する。ＭＭＥは、さらに、ＵＥ又はＵＥのユーザの認証を担当する。
【０００６】
現代のセルラーネットワークにおいて、絶えず増大するデータレートをワイヤレスデバイスに提供するというニーズは、無線レベルにおいて様々な無線アクセス技術（ＲＡＴ）を統合することによって充足され得る。例えば、３ＧＰＰは、リリース１３において、ＬＴＥ及びワイヤレスローカルエリアネットワーク（ＷＬＡＮ）を統合するより良好な手法を研究しており、具体的には事業者により配備されるＷＬＡＮのためである。ＬＴＥ及びＷＬＡＮを統合することで、個々のネットワークにより提供されるスループットがワイヤレスデバイスによってアグリゲートされ得る。この目的のために、３ＧＰＰは、とりわけＬＴＥ−ＷＬＡＮアグリゲーションを標準化することを狙うリリース１３作業項目を近日承認した（RP-150510,  ftp://ftp.3gpp.org/tsg_ran/TSG_RAN/TSGR_67/Docs/RP-150510.zip）。
【０００７】
“Ｗｉ−Ｆｉ”として知られるＷＬＡＮ技術は、８０２．１１シリーズの規格群において、即ち、“IEEE  Standard  for  Information  technology−Telecommunications  and  information  exchange  between  systems.    Local  and  metropolitan  area  networks−Specific  requirements.    Part  11:  Wireless  LAN  Medium  Access  Control  (MAC)  and  Physical  Layer  (PHY)  Specifications”としてＩＥＥＥにより標準化されている。
【０００８】
ＩＥＥＥ８０２．１１規格は、Ｗｉ−Ｆｉアクセスポイント（ＡＰ）、及び、ＩＥＥＥ８０２．１１において“ステーション”又は“ＳＴＡ”として包括的に知られるワイヤレス端末の機能及び動作を統制する。ＩＥＥＥ８０２．１１は、物理レイヤプロトコル、媒体アクセス制御（ＭＡＣ）レイヤプロトコル、並びに、アクセスポイントと携帯端末との間の適合性及び相互運用性を確保するために必要とされる他の側面を含む。Ｗｉ−Ｆｉは、固定ブロードバンドアクセスへのワイヤレス拡張として、例えば、家庭内環境において、並びに、空港、鉄道駅、及びレストランなどのいわゆるホットスポットにおいて、一般に使用されている。
【０００９】
Ｗｉ−Ｆｉは、近日、固定ブロードバンドアクセスへの拡張としてのその従来の役割を超えた目的のためにＷｉ−Ｆｉを使用する可能性について研究しているセルラーネットワーク事業者からの、増大する関心の的となっている。これらの事業者は、ワイヤレス帯域幅の、絶えず増大している市場の需要に応えており、セルラーＲＡＴの拡張又は代替としてＷｉ−Ｆｉ技術を使用することに関心を有している。例えば、ＬＴＥ、ＵＭＴＳ／ＷＣＤＭＡ（Wideband  Code−Division  Multiple  Access）、及びＧＳＭとして知られる無線アクセス技術を含む、３ＧＰＰによって標準化された技術のいずれかを用いてモバイルユーザに目下サービスしているネットワーク事業者は、Ｗｉ−Ｆｉを、ユーザ自身の正規のセルラーネットワークにおいて当該ユーザのために良好な追加的サポートを提供し得るワイヤレス技術であると認識している。
【００１０】
現在のところ、複数の標準化団体において、事業者制御型のＷｉ−Ｆｉの分野における極めて精力的なアクティビティが存在する。３ＧＰＰでは、Ｗｉ−Ｆｉ  ＡＰを３ＧＰＰにより規格化されたコアネットワークへ接続させるアクティビティが追求されており、Ｗｉ−Ｆｉアライアンス（ＷＦＡ）では、Ｗｉ−Ｆｉプロダクトの認可に関連するアクティビティが進められており、その取組みもまた、ある程度、Ｗｉ−Ｆｉをセルラー事業者らが自身のネットワークにおいて高帯域幅の提供をサポートするための現実的なワイヤレス技術にするニーズから推進されている。Ｗｉ−Ｆｉオフロードという用語は、一般に使用されており、セルラーネットワーク事業者が、例えば、ピークトラフィック時間において、及び、セルラーネットワークが何らかの理由でオフロードされる必要がある状況において、例えば、要求されるサービス品質を提供するため、帯域幅を最大化するため、又は、単にカバレッジのために、トラフィックを自身のセルラーネットワークからＷｉ−Ｆｉへオフロードする手段を求めていることを指す。
【００１１】
互いに別々に標準化されている２つの技術の混成を提供するネットワーク事業者にとって、共存のためのインテリジェントな仕組みを提供することは難題である。
【００１２】
ＷＬＡＮは、１つ以上のＡＰのネットワークであり、例えば、ＳＳＩＤ（Service  Set  Identifiers）、ＨＥＳＳＩＤ（Homogeneous  Extended  Service  Set  Identifiers）又はＢＳＳＩＤ（Basic  Service  Set  Identifiers）でアドレスを与えられ得る。
【００１３】
図１ｂは、ブロック図であり、ＬＴＥネットワーク及びＷＬＡＮネットワークを示している。これらのネットワークは共設されてもよく、これはＷＬＡＮ  ＡＰ及びｅＮＢが同じノード内に実装されることを意味し、又は、非共設であってもよく、ｅＮＢとＷＬＡＮ  ＡＰとの間にＸｗインタフェースが存在することを意味する。
【００１４】
ＬＴＥ−ＷＬＡＮアグリゲーション
ＬＴＥ−ＷＬＡＮアグリゲーション（ＬＷＡ）は、ＵＥなどのワイヤレスデバイスがｅＮＢ及びワイヤレス終端（ＷＴ）の双方へのワイヤレス通信リンクを使用して、無線信号を受信し及び送信し得るという特徴である。ＷＴは、ＷＬＡＮにおいて動作する論理的なノードである。ＷＴは、ＡＰ、アクセスコントローラ（ＡＣ）、又は他の物理ノードで実装されてもよい。ワイヤレスデバイスは、ＷＬＡＮ側において構成される別個のデータベアラを有してもよい。データベアラは、ＬＴＥ及びＷＬＡＮ接続の間で分割されてもよい。ベアラがＬＴＥ及びＷＬＡＮ接続の間で分割される場合、即ち、ＬＴＥ及びＷＬＡＮのアグリゲーションの、分割（split）ベアラアーキテクチャのオプションにおいて、ダウンリンクデータは、ｅＮＢ内のＰＤＣＰ（Packet  Data  Convergence  Protocol）レイヤ上で分割される。ｅＮＢは、ｅＮＢ無線リンク制御（ＲＬＣ）プロトコルを介してワイヤレスデバイスへ直接的に、又は、バックホールチャネルを介してセカンダリｅＮＢ（ＳｅＮＢ）へ、若しくは、ＷＬＡＮ媒体アクセス制御（ＭＡＣ）プロトコルを介してワイヤレスデバイスへ、ＰＤＣＰパケットデータユニット（ＰＤＵ）を動的にルーティングし得る。
【００１５】
上記分離されたベアラアーキテクチャにおいて、ベアラの下位レイヤは、ＬＴＥ又はＷＬＡＮへスイッチングされる。ベアラの下位レイヤとは、ＰＤＣＰレイヤよりも下のレイヤを意味する。このことは、ベアラの全てのＰＤＣＰパケットが、ＬＴＥ側又はＷＬＡＮ側のいずれかを介してルーティングされることを意味する。ｅＮＢの視点からは、デュアルコネクティビティにおいて２Ｃと呼ばれている分離されたベアラアーキテクチャは、静的なルーティング決定として見られてもよい。
【００１６】
図１ｃは、ブロック図であり、ＬＴＥ−ＷＬＡＮアグリゲーションについてのプロトコルアーキテクチャオプション３Ｃを示している。このプロトコルアーキテクチャオプション３Ｃは、ＷＴがＬＴＥにおけるセカンダリｅＮＢ（ＳｅＮＢ）の役割を果たす、ＬＴＥにおけるリリース１２デュアルコネクティビティの分割ベアラアーキテクチャに類似している。ＰＤＣＰパケットを、ＷＬＡＮによってトランスポートされるように適合させるために、アダプテーションレイヤが必要とされ得る。しかしながら、アダプテーションレイヤは、実装に依存して、ｅＮＢ若しくはＷＬＡＮにあってもよく、又は、その一部が各ノード内にあってもよい。
【００１７】
アーキテクチャオプション２Ｃのケースでは、以下のいずれかである：即ち、ユーザプレーンベアラのＰＤＣＰプロトコルよりも下のｅＮＢ  ＲＬＣプロトコルが存在しないかもしれない。このケースでは、全てのパケットがＷＬＡＮを介してワイヤレスデバイスへルーティングされる；あるいは、ＷＬＡＮが存在しないかもしれない。即ち、全てのパケットがＬＴＥを介してワイヤレス通信デバイスへルーティングされ得る。
【００１８】
そのうえ、ｅＮＢとＷＴとの間でＵＥ別にＧＴＰ−Ｕトンネルが確立されること、及び、例えばフロー制御フィードバックがＷＴからｅＮＢへ到来するはずであることが想定される。ＷＴ内のＬＴＥ−ＷＬＡＮアグリゲーション機能は、ｅＮＢから含められるベアラＩＤを伴うＰＤＣＰ  ＰＤＵを受信するであろう。それらＰＤＣＰ  ＰＤＵは、イーサフレーム（Etherframes）へカプセル化され、ＷＬＡＮ  ＭＡＣへ与えられるであろう。
【００１９】
ｅＮＢの視点からは、ＬＴＥネットワークとＷＬＡＮネットワークとの間のネットワークインタフェース、例えばＸｗインタフェースは、常にＷＴへ向かう。しかしながら、ワイヤレスデバイスは、高々１つのＡＰへ接続され、１つのＷＴの背後に複数のＡＰが存在し得る。さらに、レガシーＷＬＡＮではワイヤレスデバイスがモビリティ決定を制御する一方で、ＷＬＡＮ／ＬＴＥについてはｅＮＢがＷＬＡＮノード間のモビリティをある程度制御する。ＷＬＡＮモビリティは、ＵＥがどのＷＬＡＮへ接続され及び／又はどのＷＬＡＮによりサービスされるか、を変更する手続を含み得る。
【００２０】
ＬＴＥ−ＷＬＡＮアグリゲーションのいくつかのシナリオにおいて、ｅＮＢは、例えば、ＳＳＩＤ、ＨＥＳＳＩＤ、又はＢＳＳＩＤにより識別され、１つ以上のＷＬＡＮへ属する、ＡＰの１つ以上のグループをＵＥへ提供する。これらのＡＰ間において、ＷＬＡＮモビリティの仕組みが適用され、ＬＴＥ−ＷＬＡＮアグリゲーションがサポートされる。即ち、ＵＥは、ｅＮＢにとって透過的なこれらのＡＰ間においてモビリティを実行し得る。即ち、ＵＥは、モビリティのために許容されるＡＰの１つ以上のグループ内又はＷＬＡＮのグループ内の複数のＡＰのうちのいずれかへ接続することを可能とされる。モビリティセットは、ｅＮＢがＵＥへ指し示したＷＬＡＮであって、ＵＥのモビリティ実行の対象となり得る又はその実行が許容され得るそれらＷＬＡＮを含むＷＬＡＮのセットである。
【００２１】
一方、ｅＮＢは、ＵＥがどのＡＰへ接続されているのかを必ずしも知得しない。これは、ＵＥがどのＡＰ及びどのＷＬＡＮへ接続されているのかがｅＮＢにとって“透過的”であることを意味する。
【００２２】
ｅＮＢによって提供されるＡＰの１つ以上のグループからＡＰの他のグループへのモビリティであって、それらＡＰの間にＷＬＡＮモビリティの仕組みが適用されるＵＥの当該モビリティは、例えば、ＵＥによって提供される測定報告に基づいてｅＮＢにより制御される。
【００２３】
言い換えると、ｅＮＢは、例えばＳＳＩＤ、ＨＥＳＳＩＤ及びＢＳＳＩＤである１つ以上のＷＬＡＮ識別子と共にＵＥを構成することにより、ＷＬＡＮノード間のモビリティを制御し得る。例えば、ｅＮＢは、例えばＵＥにより提供されるＷＬＡＮ測定結果に基づいて、ＵＥのモビリティセットに対してＷＬＡＮを追加し及び／又は除外し得る。
【００２４】
例えば、ＵＥは、あるＷＬＡＮに関連付けられる測定結果が例えば当該ＷＬＡＮからの信号が当該ＷＬＡＮを用いるために十分良好であることを指し示す場合に、即ちその測定結果がある性能基準を充足する場合に、ｅＮＢへ報告を行い得る。例えば、性能基準は、測定結果の指標が閾値を上回るか又は下回る場合に充足され得る。すると、そのＷＬＡＮがｅＮＢによりモビリティセットへ追加され得る。同様に、ＵＥは、あるＷＬＡＮに関連付けられる測定結果が当該ＷＬＡＮからの信号が使用するには劣悪過ぎることを指し示す場合に、ｅＮＢへ報告を行い得る。すると、そのＷＬＡＮがｅＮＢによりモビリティセットから除外され得る。留意すべきこととして、ｅＮＢは、いつＵＥのモビリティセットに対しＷＬＡＮを追加／除外するかについて他の基準をも適用してよい。
【００２５】
ｅＮＢは、ＵＥがＷＬＡＮ測定結果をいつｅＮＢへ送信するものとされるかに関してＵＥを構成してもよい。１つの例は、測定イベントに基づいてＷＬＡＮ測定報告を送信するようにｅＮＢがＵＥを構成することである。
【００２６】
３ＧＰＰ文書ＴＳ３６．３３１バージョン１２．９．０は、ＬＷＡの導入に先立つ測定を定義する３ＧＰＰ  ＬＴＥリリース１２のＲＲＣの仕様を記述している。上記文書のセクション５．５において測定が記述されている。
【発明の概要】
【発明が解決しようとする課題】
【００２７】
上で言及したように、３ＧＰＰは、近日、リリース１２におけるＬＴＥデュアルコネクティビティに類似するプロトコルアーキテクチャに基づいてとりわけＬＴＥ−ＷＬＡＮアグリゲーションを標準化することを狙うリリース１３作業項目を承認した。
【００２８】
さらに上で言及したように、ＬＷＡでは、ｅＮＢは、測定イベントに基づいてＷＬＡＮ測定報告を送信するようにＵＥを構成し得る。例えば、ｅＮＢは、隣接するＷＬＡＮがサービングＷＬＡＮよりもある閾値の分良好になった場合にＵＥがｅＮＢへ報告を送信するものとされるように、ＵＥを構成し得る。
【００２９】
従来技術では、ワイヤレス通信デバイスは、サービングＷＬＡＮ及び／又は隣接ＷＬＡＮからの測定結果を、測定報告の基準の基礎とし得る。しかしながら、ワイヤレス通信デバイスがいかにしてサービングＷＬＡＮ及び／若しくは隣接ＷＬＡＮを判定し又は選択するものとされるかは自明ではない。
【００３０】
３ＧＰＰにおいて現在のところ開発されている仕組みによれば、ＵＥは、モビリティセットとして言及され得るＷＬＡＮ識別子のセットをｅＮＢにより提供され得る。そのシナリオでは、ＵＥは、それら識別子に適合するＷＬＡＮ  ＡＰの間で自由に移動することを許容される。即ち、ＵＥは、ｅＮＢにとって透過的に、モビリティセット内のいずれのＡＰへ接続することも許容され、即ち、そのようにするための許可をｅＮＢへ求めることが無い。ＵＥは、提供される識別子に適合しない他のＷＬＡＮに対しては、移動すること、又は言い換えると接続することを許容されない。
【００３１】
ＷＬＡＮモビリティセットでは、ＬＴＥにおける測定及びモビリティのための既存の方法を、あるＷＬＡＮがサービングＷＬＡＮであるか又は隣接ＷＬＡＮであるかを判定する際に適用することができない。ＬＴＥでは、ＵＥは１つのセルへ接続し、それがサービングセルである。隣接セルへの全てのモビリティは、ネットワークにより厳密に制御される。一方、ＬＷＡでは、ＵＥは、モビリティセット内のＡＰのどれに接続してもよい。
【００３２】
言い換えると、ｅＮＢは、モビリティセットの範囲内ではＵＥのモビリティを制御しない。その代わりに、モビリティは、例えば、ＵＥ実装に固有のモビリティ決定の仕組み、及び／又はＷＬＡＮにより制御されるモビリティ決定の仕組みに基づき得る。これに伴う問題は、異なる複数のＵＥが異なる条件の下で測定報告をトリガするかもしれず、そのことがそれらＵＥの性能を劣化させ及びワイヤレス通信ネットワークの性能を劣化させかねないことである。
【００３３】
例えば、３つのＵＥが同じＡＰからの同じＡＰ受信信号強度インジケータ（ＲＳＳＩ）を測定するが、当該３つのＵＥは全て、隣接ＷＬＡＮ及び／又はサービングＷＬＡＮが何であるかを定義するための実装固有の条件を有している場合、当該３つのＵＥは、それら異なる定義に従って測定結果を送信することになる。そうしたシナリオでは、ｅＮＢは、それら測定結果をいつ受信するのか、３つのＵＥがいかにして測定を実行したのかを知らない。例えば、第１のＵＥ（ＵＥ１）は特定のＡＰからの測定結果を含める一方、第２のＵＥ（ＵＥ２）及び第３のＵＥ（ＵＥ３）はその特定のＡＰからの測定結果を含めない。すると、測定報告における上記相違が、ＵＥ２及びＵＥ３にそのＡＰが見えないことに起因するのか、又はＵＥ２及びＵＥ３が隣接ＷＬＡＮ及び／又はサービングＷＬＡＮをそのＡＰについて報告を送信しないものとして解釈していることによるのかを、ｅＮＢは知得しない。これは、ｅＮＢがＬＷＡを構成する能力に影響する。
【００３４】
従来技術に伴う他の問題は、ＵＥが冗長な測定報告をトリガすることである。より多くの量のシグナリングオーバヘッドによって、ワイヤレス通信ネットワークの性能が劣化する。
【００３５】
ここでの実施形態の目的は、１つ以上のワイヤレス通信ネットワークの性能を改善することである。異なる無線アクセス技術を伴う複数のワイヤレス通信ネットワークの統合を改善することもここでの実施形態の目的であり得る。
【課題を解決するための手段】
【００３６】
１つ以上のワイヤレス通信ネットワークの性能の改善は、ワイヤレス通信デバイスがネットワークノードへ測定報告をどういった条件下で送信するものとされるかを判定することにより達成され得る。１つ以上のワイヤレス通信ネットワークの性能の改善は、さらに、ネットワークノードへの測定報告内にどの無線アクセスネットワークノードを含めるべきかを判定することにより達成され得る。
【００３７】
ここでの実施形態の第１の態様によれば、上記目的は、ワイヤレス通信デバイスにより実行される、測定報告のための１つ以上の無線アクセスネットワークノードを判定し又は選択するなどといった測定報告手続のための方法により達成される。上記測定報告は、第１のワイヤレス通信ネットワークに関連付けられる測定結果を第２のワイヤレス通信ネットワークにおいて動作するネットワークノードへ報告することを含む。上記第１のワイヤレス通信ネットワークは、第１の無線アクセス技術（ＲＡＴ）に従って動作し、上記第２のワイヤレス通信ネットワークは、第２のＲＡＴに従って動作する。
【００３８】
上記ワイヤレス通信デバイスは、上記第１のワイヤレス通信ネットワークにおいて動作する１つ以上の無線アクセスネットワークノードであって、上記第１のワイヤレス通信ネットワークにおいて上記ワイヤレス通信デバイスの制限されるモビリティの相手に含まれる当該１つ以上の無線アクセスネットワークノードの標識を、上記ネットワークノードから受信する。
【００３９】
上記ワイヤレス通信デバイスは、上記第１のワイヤレス通信ネットワークにおいて上記ワイヤレス通信デバイスの制限される上記モビリティの相手に含まれる上記１つ以上の無線アクセスネットワークノードの上記標識に基づいて、上記ネットワークノードへの測定報告のために、上記第１のワイヤレス通信ネットワークにおいて動作するどの無線アクセスネットワークノードが使用されるべきかをさらに判定する。
【００４０】
ここでの実施形態の第２の態様によれば、上記目的は、上記第１の態様に係る方法を遂行するように構成されるワイヤレス通信デバイスにより達成される。
【００４１】
それは、測定報告のための1つ以上の無線アクセスネットワークノードを判定するためのワイヤレス通信デバイスである。上記測定報告は、第１のワイヤレス通信ネットワークに関連付けられる測定結果を第２のワイヤレス通信ネットワークにおいて動作するネットワークノードへ報告することを含む。上記第１のワイヤレス通信ネットワークは、第１の無線アクセス技術（ＲＡＴ）に従って動作し、上記第２のワイヤレス通信ネットワークは、第２のＲＡＴに従って動作する。
【００４２】
上記ワイヤレス通信デバイスは、上記第１のワイヤレス通信ネットワークにおいて動作する１つ以上の無線アクセスネットワークノードであって、上記第１のワイヤレス通信ネットワークにおいて上記ワイヤレス通信デバイスの制限されるモビリティの相手に含まれる当該１つ以上の無線アクセスネットワークノードの標識を、上記ネットワークノードから受信する、ように構成される。
【００４３】
上記ワイヤレス通信デバイスは、上記第１のワイヤレス通信ネットワークにおいて上記ワイヤレス通信デバイスの制限される上記モビリティの相手に含まれる上記１つ以上の無線アクセスネットワークノードの上記標識に基づいて、上記ネットワークノードへの測定報告のために、上記第１のワイヤレス通信ネットワークにおいて動作するどの無線アクセスネットワークノードが使用されるべきかを判定する、ようにさらに構成される。
【００４４】
ここでの実施形態の第３の態様によれば、上記目的は、プロセッサにおいて実行される場合に、上記第１の態様に係る方法を遂行するソフトウェア命令、を含むコンピュータプログラムプロダクトにより達成される。
【００４５】
ここでの実施形態の第４の態様によれば、上記目的は、測定報告のためのワイヤレス通信デバイスにより達成される。上記ワイヤレス通信デバイスは、プロセッサ及びメモリを備え、上記メモリは、上記プロセッサにより実行可能な命令を含み、それにより、上記ワイヤレス通信デバイスは、上記第１の態様に係る方法を遂行する、ように動作可能である。
【００４６】
ここでの実施形態の第５の態様によれば、上記目的は、上記第１の態様に係る方法を遂行するように構成される、受信モジュール及び判定モジュールを備えるワイヤレス通信デバイスにより達成される。
【００４７】
即ち、上記ワイヤレス通信デバイスは、上記第１のワイヤレス通信ネットワークにおいて動作する１つ以上の無線アクセスネットワークノードであって、上記第１のワイヤレス通信ネットワークにおいて上記ワイヤレス通信デバイスの制限されるモビリティの相手に含まれる当該１つ以上の無線アクセスネットワークノードの標識を、上記ネットワークノードから受信する、ように構成される受信モジュール、を備える。
【００４８】
上記ワイヤレス通信デバイスは、上記第１のワイヤレス通信ネットワークにおいて上記ワイヤレス通信デバイスの制限される上記モビリティの相手に含まれる上記１つ以上の無線アクセスネットワークノードの上記標識に基づいて、上記ネットワークノードへの測定報告のために、上記第１のワイヤレス通信ネットワークにおいて動作するどの無線アクセスネットワークノードが使用されるべきかを判定する、ように構成される判定モジュール、をさらに備える。
【００４９】
ワイヤレス通信デバイスの制限されるモビリティの相手に含まれる１つ以上の無線アクセスネットワークノードの標識に基づいて、当該ワイヤレス通信デバイスがネットワークノードへの測定報告のためにどの無線アクセスネットワークノードが使用されるべきかを判定することから、異なるワイヤレス通信デバイスについて測定報告の条件が同一となり、それによりワイヤレス通信ネットワークの性能が改善される。
【００５０】
ここでの実施形態の利点は、ＷＬＡＮにおけるモビリティセットの概念と整合性することである。
【図面の簡単な説明】
【００５１】
次の添付図面を参照しながら、ここでの実施形態の例について、より詳細に説明する。
【００５２】
【図１ａ】従来技術に係る、簡略化されたＬＴＥアーキテクチャを示す概略ブロック図である。
【図１ｂ】ＬＴＥネットワーク及びＷｉ−Ｆｉネットワークを示す概略ブロック図である。
【図１ｃ】ＬＴＥ−ＷＬＡＮアグリゲーションについてのプロトコルアーキテクチャオプション３Ｃを示す概略ブロック図である。
【図２】ここでのワイヤレス通信ネットワークの実施形態が実装され得る、第１のワイヤレス通信ネットワーク及び第２のワイヤレス通信ネットワークを示す概略ブロック図である。
【図３】内部でワイヤレス通信デバイスが移動している第１のワイヤレス通信ネットワークを示す概略ブロック図である。
【図４ａ】測定報告のための方法の実施形態を示す、シグナリング図及びフローチャートの組み合わせである。
【図４ｂ】概略ブロック図である。
【図５】ワイヤレス通信デバイスにより実行される、測定報告のための方法の実施形態を描くフローチャートである。
【図６】ネットワークノードにより実行される方法の実施形態を描くフローチャートである。
【図７】ワイヤレス通信デバイスの実施形態を示す概略ブロック図である。
【図８】ネットワークノードの実施形態を示す概略ブロック図である。
【発明を実施するための形態】
【００５３】
ここでの実施形態は、ワイヤレス通信デバイス及びネットワークノードにおいて実装される方法を提示する。以下では、ネットワークノードの一例としてｅＮＢが使用されるが、概して、それはワイヤレス通信デバイスへサービスする他のネットワークノードであってもよく、例えばＵＭＴＳについて、適用可能なネットワークノードはＲＮＣであってもよい。ワイヤレス通信デバイスは、ＵＥで例示されるであろう。
【００５４】
ここでの実施形態は、１つ以上のワイヤレス通信ネットワークにおいて実装されてよく、図２は、そのうち、無線通信ネットワーク、通信ネットワーク、又は類似のものとしても知られる第１のワイヤレス通信ネットワーク２０１の一部を描いている。第１のワイヤレス通信ネットワーク２０１は、１つ以上のＲＡＮ及び１つ以上のＣＮを含み得る。第１のワイヤレス通信ネットワーク２０１は、若干のあり得る実装例に触れるだけでも、Ｗｉ−Ｆｉ、ＬＴＥ（Long  Term  Evolution）、ＬＴＥアドバンスト、ＷＣＤＭＡ（Wideband  Code  Division  Multiple  Access）、ＧＳＭ／ＥＤＧＥ（Global  System  for  Mobile  communications/Enhanced  Data  rate  for  GSM  Evolution）、ＷｉＭａｘ（Worldwide  Interoperability  for  Microwave  Access）、又はＵＭＢ（Ultra  Mobile  Broadband）といった、いくつかの異なる技術を使用してよい。より具体的には、第１のワイヤレス通信ネットワーク２０１は、第１のＲＡＴに従って動作し得る。
【００５５】
第１のワイヤレス通信ネットワーク２０１は、ここでは、ＷＬＡＮの一例であるＷｉ−Ｆｉネットワークとして例示されている。
【００５６】
図２は、無線通信ネットワーク、通信ネットワーク、又は類似のものとしても知られる第２のワイヤレス通信ネットワーク２０２の一部をさらに描いている。第２のワイヤレス通信ネットワーク２０２は、１つ以上のＲＡＮ及び１つ以上のＣＮを含み得る。第２のワイヤレス通信ネットワーク２０２は、若干のあり得る実装例に触れるだけでも、ＬＴＥ（Long  Term  Evolution）、ＬＴＥアドバンスト、ＷＣＤＭＡ（Wideband  Code  Division  Multiple  Access）、ＧＳＭ／ＥＤＧＥ（Global  System  for  Mobile  communications/Enhanced  Data  rate  for  GSM  Evolution）、Ｗｉ−Ｆｉ、ＷｉＭａｘ（Worldwide  Interoperability  for  Microwave  Access）、又はＵＭＢ（Ultra  Mobile  Broadband）といった、いくつかの異なる技術を使用してよい。第２のワイヤレス通信ネットワーク２０２は、ここではＬＴＥネットワークとして例示されている。
【００５７】
第１のワイヤレス通信ネットワーク２０１において、ワイヤレス通信デバイスと通信可能な無線アクセスノードが動作する。例えば、ワイヤレス通信デバイスと無線通信可能な１つ以上の第１の無線アクセスノード２１１ａ、２１１ｂが、第１のワイヤレス通信ネットワーク２０１において動作している。１つ以上の第１の無線アクセスノード２１１ａ、２１１ｂは、第１のワイヤレス通信ネットワーク２０１において動作する、ように構成される。１つ以上の第１の無線アクセスノード２１１ａ、２１１ｂは、無線基地局、及び、例えば、ｅＮＢ、ｅＮｏｄｅＢ、基地送受信局、アクセスポイント基地局、基地局ルータ、又は、ワイヤレス通信デバイスと無線通信可能ないかなる他のネットワークユニットとして言及されてもよい。
【００５８】
第１のワイヤレス通信ネットワーク２０１において動作する、さらなる無線アクセスノードが存在してもよい。例えば、図２に示したように、１つ以上の第２の無線アクセスノード２１２ａ、２１２ｂと、１つ以上の第３の無線アクセスノード２１３ａ、２１３ｂと、が存在してもよい。
【００５９】
１つ以上の無線アクセスノード２１１ａ、２１１ｂ、２１２ａ、２１２ｂ、２１３ａ、２１３ｂは、ここでの実施形態においてＡＰとして例示される。
【００６０】
上で言及したように、ＷＬＡＮは、１つ以上のＡＰのネットワークであり、ＳＳＩＤ、ＨＥＳＳＩＤ、又はＢＳＳＩＤでアドレスを与えられ得る。
【００６１】
ここでの実施形態において、１つ以上の第１の無線アクセスノード２１１ａ、２１１ｂは、第１の無線アクセスネットワーク２２１として言及され得る。この第１の無線アクセスネットワーク２２１は、例えば、第１のＷＬＡＮであり得る。さらに、１つ以上の第２の無線アクセスノード２１２ａ、２１２ｂは、第２の無線アクセスネットワーク２２２として言及され得る。またさらに、１つ以上の第３の無線アクセスノード２１３ａ、２１３ｂは、第３の無線アクセスネットワーク２２３として言及され得る。第２の無線アクセスネットワーク２２２及び第３の無線アクセスネットワーク２２３もまた、ＷＬＡＮであってよい。
【００６２】
ＬＴＥ及びＷＬＡＮが２つのＲＡＴの例としてここで使用されることになるものの、ここで説明される実施形態を他のＲＡＴの組み合わせに適用することが可能であってよい。そうした組み合わせは、ＬＴＥ、ＵＭＴＳ、ＷＬＡＮ、ＷｉＭＡＸ、ＧＳＭなどの組み合わせであってもよい。
【００６３】
第２のワイヤレス通信ネットワーク２０２において、ワイヤレス通信デバイスと通信可能なネットワークノードが動作する。例えば、ワイヤレス通信デバイスと通信可能なネットワークノード２４０が第２のワイヤレス通信ネットワーク２０２において動作している。ネットワークノード２４０は、第２のワイヤレス通信ネットワーク２０２において動作する、ように構成される。いくつかの実施形態において、ネットワークノード２４０は、無線通信可能なネットワークノードであり、即ち、基地局といった無線ネットワークノード又は無線アクセスノードである。ネットワークノード２４０は、無線基地局、及び、例えば、ｅＮＢ、ｅＮｏｄｅＢ、基地送受信局、アクセスポイント基地局、基地局ルータ、又は、ワイヤレス通信デバイスと通信可能ないかなる他のネットワークユニットとして言及されてもよい。
【００６４】
いくつかの他の実施形態において、ネットワークノード２４０は、無線ネットワークノードを介してワイヤレス通信デバイスと通信するネットワークノードである。このケースにおいて、ネットワークノード２４０は、例えば、ＵＭＴＳネットワークにおける無線ネットワークコントローラ（ＲＮＣ）であってもよい。ＲＮＣは図２には示されていない。
【００６５】
移動局、ワイヤレスデバイス、ユーザ機器、及び／又は、ワイヤレス端末としても知られるワイヤレス通信デバイス２５０は、第１のワイヤレス通信ネットワーク２０１及び第２のワイヤレス通信ネットワーク２０２において動作可能である。例えば、ワイヤレス通信デバイス２５０は、第１のワイヤレス通信ネットワーク２０１と通信可能である。さらに、ワイヤレス通信デバイス２５０は、第２のワイヤレス通信ネットワーク２０２とも通信可能である。例えば、ワイヤレス通信デバイス２５０は、ＬＴＥを介して直接的に、シグナリングベアラを通じて第２のワイヤレス通信ネットワーク２０２との間で制御信号を通信可能である。また、ワイヤレス通信デバイス２５０は、ＷＬＡＮなどの第１のワイヤレス通信ネットワーク２０１を介して、ＬＴＥネットワークなどの第２のワイヤレス通信ネットワーク２０２へ、アップリンクユーザプレーンデータ又は制御シグナリングを通信してもよい。第１のワイヤレス通信ネットワーク２０１は、ユーザプレーンデータを、Ｘｗインタフェースといったインタフェースを介して第２のワイヤレス通信ネットワーク２０２へリレーしてもよい。当該インタフェースは、図２では省略されている。
【００６６】
当業者によって理解されるべきこととして、“ワイヤレス通信デバイス”は、任意のワイヤレス端末、ユーザ機器、マシンタイプ通信（ＭＴＣ）デバイス、デバイスツーデバイス（Ｄ２Ｄ）端末、又はノードを意味する非限定的な用語であり、それらは、例えば、ＰＤＡ（Personal  Digital  Assistant）、ラップトップ、モバイル、センサ、リレー、モバイルタブレット、又は、それぞれのセル内で通信するスモール基地局でさえあってよい。当然ながら、ワイヤレス通信ネットワークと通信する、１つよりも多くのワイヤレス通信デバイスが存在してもよい。
【００６７】
第２のワイヤレス通信ネットワーク２０２は、複数のセルエリアへ分割される地理的エリアをカバーし得る。それらセルエリアは、重なり合ってもよく、又は部分的に重なり合ってもよい。セルは、基地局サイトにあり又はＲＲＵ（Remote  Radio  Units）内のリモート位置にある無線基地局機器により無線カバレッジが提供される地理的エリアである。
【００６８】
ここでの実施形態において、第２のワイヤレス通信ネットワーク２０２は、ワイヤレス通信デバイス２５０といったワイヤレス通信デバイスへサービスする第１のセルを含んでもよい。ネットワークノード２４０は、第１のセルを介してワイヤレス通信デバイス２５０と通信してもよい。第１のセルは、図２には描かれていない。
【００６９】
セルの定義は、送信のために使用される周波数帯域及び無線アクセス技術を包含してもよく、それは、２つの異なるセルが異なる周波数帯域を用いながら同じ地理的エリアをカバーし得ることを意味する。各セルは、局所的な無線エリアの範囲内のアイデンティティにより識別され、そのアイデンティティは第１のセル内でブロードキャストされる。第２のワイヤレス通信ネットワーク２０２の全体で一意に第１のセルを識別する他のアイデンティティもまた第１のセル内でブロードキャストされる。無線アクセスノードは、無線アクセスノードのレンジの範囲内のワイヤレス通信デバイス２５０と無線周波数上で動作するエアインタフェース又は無線インタフェースを介して通信する。ワイヤレス通信デバイス２５０は、アップリンク（ＵＬ）送信において無線アクセスノードへ無線インタフェースを介してデータを送信し、無線アクセスノードは、ダウンリンク（ＤＬ）送信においてワイヤレス通信デバイス２５０へエアインタフェース又は無線インタフェースを介してデータを送信する。
【００７０】
ここでのいくつかの実施形態において、第２のワイヤレス通信ネットワーク２０２は、さらに第２のセルを含む。第２のセルもまた、図２には描かれていない。第２のセルは、第１のセルと一致してもよい。
【００７１】
ワイヤレス通信デバイス２５０について、第１のセルが例えばプライマリセル（ＰＣｅｌｌ）であってもよく、第２のセルがセカンダリセル（ＳＣｅｌｌ）であってもよい。
【００７２】
図３は、ブロック図であり、無線アクセスネットワークのカバレッジエリアを示している。カバレッジエリアは、無線アクセスノードにより無線カバレッジが提供される地理的エリアである。第１の無線アクセスネットワーク２２１は、第１のカバレッジエリア３６１において無線カバレッジを提供する。第２の無線アクセスネットワーク２２２は、第２のカバレッジエリア３６２において無線カバレッジを提供する。第３の無線アクセスネットワーク２２３は、第３のカバレッジエリア３６３において無線カバレッジを提供する。
【００７３】
図３は、ここでの実施形態が実装され得るシナリオをさらに示している。このシナリオにおいて、ワイヤレス通信デバイス２５０は、当初、第１のカバレッジエリア３６１内であって且つ第２のカバレッジエリア３６２内にある第１のロケーション１に位置する。
【００７４】
ワイヤレス通信デバイス２５０はさらに、当初、そのモビリティセット３７０において、第１の無線アクセスネットワーク２２１及び第２の無線アクセスネットワーク２２２と共に構成される。言い換えると、第１の無線アクセスネットワーク２２１及び第２の無線アクセスネットワーク２２２が最初にワイヤレス通信デバイス２５０のモビリティセット３７０内に含まれる。これは、第１の無線アクセスネットワーク２２１と第２の無線アクセスネットワーク２２２との間でのワイヤレス通信デバイス２５０のモビリティが、第１のワイヤレス通信ネットワーク２０１についてのモビリティの仕組みにより管轄されることを意味する。ワイヤレス通信デバイス２５０が第１の無線アクセスネットワーク２２１又は第２の無線アクセスネットワーク２２２のいずれかへ接続されている最中に、第１のワイヤレス通信ネットワーク２０１の使用がサポートされる。第１のワイヤレス通信ネットワーク２０１を使用することは、ワイヤレス通信デバイス２５０が、第１のワイヤレス通信ネットワーク２０１におけるワイヤレス通信リンクを用いて無線信号を受信し及び送信し得ることを意味する。
【００７５】
ここでのいくつかの例示的な実施形態によれば、ワイヤレス通信デバイス２５０は、ワイヤレス通信デバイス２５０のモビリティセット３７０内に含まれる第１の無線アクセスネットワーク２２１及び第２の無線アクセスネットワーク２２２をサービングＷＬＡＮであると判定する。
【００７６】
次いで、ワイヤレス通信デバイス２５０は、第３の無線アクセスネットワーク２２３の第３のカバレッジエリア３６３の内部でもある他の第２のロケーション２へ移動する。
【００７７】
この位置において、ワイヤレス通信デバイス２５０は、第３の無線アクセスネットワーク２２３が隣接ＷＬＡＮである、即ち隣接セット（neighbor  set）３７５に含まれると判定し得る。
【００７８】
留意すべきこととして、以下の実施形態は、相互排他的ではない。ある実施形態からのコンポーネントが他の実施形態において存在するものと暗に想定されてよく、それらコンポーネントを他の例示的な実施形態においていかに用い得るかは当業者にとって明白であろう。
【００７９】
ここでの実施形態において、ＵＥといったワイヤレス通信デバイス２５０は、ネットワークノード２４０への測定報告のために使用されるべき１つ以上の無線アクセスネットワークノードを判定し又は選択する。その選択又は判定は、ワイヤレス通信デバイス２５０がモビリティを実行し得る対象である１つ以上の無線アクセスネットワークノード２１１ａ、２１１ｂ、２１２ａ、２１２ｂの標識に基づく。それら１つ以上の無線アクセスノード２１１ａ、２１１ｂ、２１２ａ、２１２ｂがモビリティセット３７０として言及され得る。
【００８０】
ｅＮＢといったネットワークノード２４０が上記標識を提供してもよい。ネットワークノード２４０は、ワイヤレス通信デバイス２５０へ上記標識を送信することにより、それを提供してもよい。上記標識は、１つ以上の無線アクセスネットワークノード２１１ａ、２１１ｂ、２１２ａ、２１２ｂの１つ以上の識別子を含んでもよい。
【００８１】
例えば、ワイヤレス通信デバイス２５０は、１つ以上の無線アクセスノードがサービングＷＬＡＮであり及び／又は隣接ＷＬＡＮであると判定してもよい。そして、判定されるサービングＷＬＡＮ及び／又は判定される隣接ＷＬＡＮがネットワークノード２４０への測定報告のために使用されてもよい。例えば、隣接ＷＬＡＮに関連するイベントが発生した場合、ワイヤレス通信デバイス２５０は、そのイベントに関する測定報告をネットワークノード２４０へ送信する。そのイベントは、例えば隣接ＷＬＡＮの信号に関連するある条件の充足に関連してもよい。信号以外のメトリックに関連する条件を有することが可能であり得ることにも留意すべきである。例えば、その条件は、ＷＬＡＮ負荷、バックホールレート、アクセス遅延などに関連してもよい。
【００８２】
例えば、１つの実施形態において、上記判定は、モビリティセット３７０に基づく。上で言及したように、モビリティセット３７０は、ワイヤレス通信デバイス２５０がモビリティを実行し得る対象のＷＬＡＮを含むＷＬＡＮのセットである。ワイヤレス通信デバイス２５０は、測定オブジェクト３８０を考慮してもよく、即ち、測定オブジェクト３８０により識別されるＷＬＡＮである。図３及び図４ａにおいて、測定オブジェクト３８０は、measObject３８０として参照されている。ワイヤレス通信デバイス２５０がモビリティセット３７０＝（BSSID  X  and  BSSID  Y）を取得し、測定オブジェクト３８０がSSID＝Teliaである場合、いくつかの実施形態によれば、サービングＷＬＡＮは、ＢＳＳＩＤ  Ｘ及びＢＳＳＩＤ  Ｙを伴うＷＬＡＮである。隣接ＷＬＡＮは、測定オブジェクト３８０内の全てのＷＬＡＮ、即ちＳＳＩＤ“Telia”であり、但しＢＳＳＩＤ  Ｘ及びＢＳＳＩＤ  Ｙを伴うＷＬＡＮを除く。なぜなら、これらはモビリティセット３７０だからである。
【００８３】
他の実施形態において、例えばワイヤレス通信デバイス２５０がモビリティセット３７０を受信していない場合、ワイヤレス通信デバイス２５０は、ワイヤレス通信デバイス２５０が測定すべきものとしてネットワークノード２４０により示されたＷＬＡＮの識別子に基づいて、即ち例えば測定オブジェクト３８０内に含まれる測定目標の識別子に基づいて、隣接ＷＬＡＮを判定する。直接的に示されるモビリティセット３７０の無い場合に、それら識別子が、モビリティセット３７０がボイド（void）であること又はそれが空（empty）であることをワイヤレス通信デバイス２５０へ指し示してもよい。
【００８４】
ここでの実施形態に従って第１のワイヤレス通信システム２０１において測定報告のために使用されるべき第１、第２及び第３の無線アクセスネットワーク２２１、２２２、２２３内の無線アクセスノードといった１つ以上の無線アクセスネットワークノードを判定するためのアクションが、図２及び図３への参照を継続しつつ、図４ａ、図４ｂ、図５及び図６との関連で次に説明されるであろう。
【００８５】
図４ａは、ここでの実施形態に従って測定報告のために使用すべき１つ以上の無線アクセスネットワークノードを判定するための方法を説明するシグナリング図及びフローチャートの組み合わせである。
【００８６】
図４ｂは、１つ以上の無線アクセスネットワークノードの識別子４６０を示す概略ブロック図である。
【００８７】
上で言及したように、第１のワイヤレス通信ネットワーク２０１はＷＬＡＮであってもよく、第２のワイヤレス通信ネットワーク２０２はＬＴＥ（Long  Term  Evolution）ネットワーク及びＵＭＴＳ（Universal  Mobile  Telecommunications  System）ネットワークのうちのいずれかといった３ＧＰＰネットワークであってもよい。
【００８８】
［アクション４００］
測定報告のために構成される目的で、ワイヤレス通信デバイス２５０は、ワイヤレス通信デバイス２５０が測定を実行するものとされる対象の１つ以上の無線アクセスネットワークノード２１１ａ、２１１ｂ、２１２ａ、２１２ｂ、２１３ａ、２１３ｂの第１の標識４４０を受信し得る。
【００８９】
いくつかの実施形態において、ネットワークノード２４０は、ワイヤレス通信デバイス２５０へ第１の標識４４０を送信する。第１の標識４４０は、ここではmeasObject３８０とも表記される測定オブジェクト３８０内に含まれてもよい。第１の標識は、１つ以上の無線アクセスネットワークノード２１１ａ、２１１ｂ、２１２ａ、２１２ｂ、２１３ａ、２１３ｂの１つ以上の識別子を含んでもよい。第１の標識４４０は、いくつかのシナリオにおいて、ワイヤレス通信デバイス２５０がどの無線アクセスネットワークノードの間でもモビリティを実行することを許容されないことをも示してもよい。そのようにして、第１の標識は、いくつかのシナリオにおいて、モビリティセット３７０を示してもよい。
【００９０】
アクション４００は、以下のアクション５０１及び６０１に関連する。
【００９１】
［アクション４０１］
第１のワイヤレス通信ネットワーク２０１においてワイヤレス通信デバイス２５０のモビリティを制限する目的で、ワイヤレス通信デバイス２５０は、第２の標識４５０を受信する。第２の標識４５０は、ワイヤレス通信デバイス２５０がモビリティを実行し得る又はモビリティを実行することを許容される１つ以上の無線アクセスネットワークノード２１１ａ、２１１ｂ、２１２ａ、２１２ｂの標識である。ワイヤレス通信デバイス２５０がモビリティを実行し得るそれら１つ以上の無線アクセスネットワークノード２１１ａ、２１１ｂ、２１２ａ、２１２ｂは、第１のワイヤレス通信ネットワーク２０１内に含まれる。
【００９２】
第２の標識４５０は、１つ以上の無線アクセスネットワークノード２１１ａ、２１１ｂ、２１２ａ、２１２ｂの１つ以上の識別子をさらに含んでもよい。無線アクセスネットワークノード２１１ａ、２１１ｂ、２１２ａ、２１２ｂの１つ以上の識別子は、各々が１つ以上の無線アクセスネットワークノードの識別子であり得る。
【００９３】
それら識別子がワイヤレス通信デバイス２５０がモビリティを実行し得る１つ以上の無線アクセスネットワークノードの標識であってもよい。言い換えると、それら識別子がモビリティセット３７０の標識であってもよい。
【００９４】
例えば、ここでのいくつかの実施形態において、ワイヤレス通信デバイス２５０は、ネットワークノード２４０からモビリティセット３７０内で１つ以上の無線アクセスネットワークノード２１１ａ、２１１ｂ、２１２ａ、２１２ｂの標識を受信する。図３との関連で上で言及したように、ここでのあるシナリオにおいて、第１の無線アクセスネットワーク２２１及び第２の無線アクセスネットワーク２２２は、当初、ワイヤレス通信デバイス２５０のモビリティセット３７０内に含まれる。
【００９５】
いくつかの実施形態において、ワイヤレス通信デバイス２５０は、モビリティセット３７０がボイド又は空である、即ちモビリティセット３７０が無線アクセスノードを含まないという標識を受信する。例えば、アクション４００との関連で上で言及したように、ワイヤレス通信デバイス２５０は、モビリティセットを受信する前に、ワイヤレス通信デバイス２５０が測定を実行することを許容され及び／又は測定を実行するものとされる対象の１つ以上の無線アクセスネットワークノード２１１ａ、２１１ｂ、２１２ａ、２１２ｂ、２１３ａ、２１３ｂの第１の標識４４０を測定オブジェクト３８０内で受信し得る。第１の標識４４０は、いくつかの実施形態において、モビリティセット３７０がその時点についてボイドであり又は空であることを示し得る。すると、ワイヤレス通信デバイス２５０は、測定オブジェクト３８０内に示される無線アクセスノードのうちの少なくとも１つを含むように、ＷＬＡＮの隣接セット３７５及び／又は無線アクセスノードを判定し得る。
【００９６】
アクション４０１は、以下のアクション５０１及び６０１に関連する。
【００９７】
［アクション４０２ａ］
上で言及したように、ネットワークノード２４０が第１のワイヤレス通信ネットワーク２０１においてワイヤレス通信デバイス２５０のモビリティをさらに制御できるように、ワイヤレス通信デバイス２５０は、第１のワイヤレス通信デバイス２０１内の異なる複数の無線アクセスネットワークノードに関連付けられる無線信号の測定結果をネットワークノード２４０へ報告する。
【００９８】
ネットワークノード２４０は、ワイヤレス通信デバイス２５０を例えばＳＳＩＤ、ＨＥＳＳＩＤ及びＢＳＳＩＤといった１つ以上の識別子と共に構成することにより、無線アクセスノード間でのモビリティを制御し得る。例えば、ネットワークノード２４０は、ワイヤレス通信デバイス２５０により提供されるＷＬＡＮ測定結果に基づいて、ワイヤレス通信デバイス２５０のモビリティセットに対してＷＬＡＮを追加し及び／又は除外してもよい。
【００９９】
ここでの実施形態において、ワイヤレス通信デバイス２５０は、まず、どの無線アクセスネットワークノードを、又は言い換えると無線アクセスネットワークノードに関連付けられるどの測定結果を報告すべきであるかを判定し得る。以下では、アクション４０３ａ、４０３ｂについて測定の実行が説明される。測定の報告は、アクション４０５、５０５、６０２について以下で説明される。
【０１００】
ワイヤレス通信デバイス２５０は、少なくとも第２の標識４５０に基づいて、受信される標識４４０、４５０により示される１つ以上の無線アクセスネットワークノードのうちの１つ以上が第２のワイヤレス通信ネットワーク２０２において動作するネットワークノード２４０への測定報告のために使用されるべきであると判定する。
【０１０１】
例えば、ワイヤレス通信デバイス２５０は、モビリティセット３７０内に含まれるものとして示された第１の無線アクセスノード２１１ａ、２１１ｂが、ネットワークノード２４０への測定報告の目的のためのサービングＷＬＡＮであるものとされることを判定４０２ａし得る。
【０１０２】
アクション４０２ａは、以下のアクション５０２に関連する。
【０１０３】
［アクション４０２ｂ］
他の例において、ワイヤレス通信デバイス２５０は、ワイヤレス通信デバイス２５０が測定することを許容され及び／又は測定することを要する対象の無線アクセスノードのグループに含まれるものとして示され、但しモビリティセット３７０には含まれない第３の無線アクセスノード２１３ａ、２１３ｂが、ネットワークノード２４０への測定報告の目的のための隣接ＷＬＡＮであるものとされることを判定４０２ｂする。
【０１０４】
第１の標識４４０及び／又は第２の標識４５０といった標識に基づいて測定報告のためにどの無線アクセスネットワークノードが使用されるべきかを判定することにより、異なるワイヤレス通信デバイスについて測定報告の条件が同一となり、それによりワイヤレス通信ネットワークの性能が改善される。
【０１０５】
上記判定がある時間ピリオドにわたって有効であってもよい。その時間ピリオドは、タイマによって及び／又は時間ピリオドの終了をトリガするイベントによって終了させられてもよい。
【０１０６】
アクション４０２ｂは、以下のアクション５０２に関連する。
【０１０７】
［アクション４０３ａ／４０３ｂ］
ワイヤレス通信デバイス２５０が第１のワイヤレス通信ネットワーク２０１における例えば無線リンク条件に関する情報を提供する目的で、ワイヤレス通信デバイス２５０は、例えば、第１のワイヤレス通信ネットワーク２０１において動作する複数の無線アクセスネットワークノード２１１ａ、２１１ｂ、２１２ａ、２１２ｂ、２１３ａ、２１３ｂからの１つ以上の無線信号に関連する信号強度又は信号品質を測定する。
【０１０８】
アクション４０３ａ／４０３ｂは、以下のアクション５０３に関連する。
【０１０９】
［アクション４０４］
第２のワイヤレス通信ネットワーク２０２を測定報告により過負荷にしない目的で、第２のワイヤレス通信ネットワーク２０２は、測定イベントと共にワイヤレス通信デバイス２５０を構成してもよく、それら測定イベントは、ある条件が充足される場合にワイヤレス通信デバイス２５０が測定報告を送信することをトリガする。ここでのいくつかの実施形態は、測定報告の回数を低減し、それが転じて、シグナリングオーバヘッドを低減する。
【０１１０】
従って、ここでの実施形態において、ワイヤレス通信デバイス２５０は、測定報告に関連するイベントが発生したかを判定し得る。その判定は、ネットワークノード２４０への測定報告のために使用されるべきであると判定された１つ以上の無線アクセスネットワークノードに基づいて、及び測定されるメトリックにさらに基づいてなされる。
【０１１１】
そうしたイベントの一例は、隣接ＷＬＡＮがあるオフセット分サービングＷＬＡＮよりも良好となるというものである。“第１のＷＬＡＮが第２のＷＬＡＮよりも良好となる”との表現は、第１のＷＬＡＮからの信号の何らかの指標が第２のＷＬＡＮからの対応する信号の対応する指標よりも高いか又は低いかを意味し得る。例えば、第１のＷＬＡＮに関連付けられる第１の信号の信号強度が第２のＷＬＡＮに関連付けられる第２の信号からの信号強度よりも高くてもよい。第１のＷＬＡＮがあるオフセット分第２のＷＬＡＮよりも良好となるとは、それら２つのＷＬＡＮの間の差がそのオフセットに等しいことを意味する。
【０１１２】
アクション４０４は、以下のアクション５０４に関連する。
【０１１３】
［アクション４０５］
ワイヤレス通信デバイス２５０は、測定報告に関連する上記イベントが発生した場合に、第２のワイヤレス通信ネットワーク２０２において動作するネットワークノード２４０へ１つ以上の測定結果を報告してもよい。報告される上記１つ以上の測定結果は、ネットワークノード２４０への測定報告のために使用されるべきであると判定された１つ以上の無線アクセスネットワークノードに関連する。
【０１１４】
例えば、ワイヤレス通信デバイス２５０は、測定報告に関連するイベントが発生した場合に、サービング及び／又は隣接ＷＬＡＮからの測定結果を報告してもよい。
【０１１５】
アクション４０５は、以下のアクション５０５及び６０２に関連する。
【０１１６】
図５は、ここでの実施形態に係る、ＵＥといったワイヤレス通信デバイス２５０により実行される、測定報告のために使用されるべき１つ以上の無線アクセスネットワークノードを判定するための方法を説明するフローチャートである。
【０１１７】
［アクション５０１］
第１のワイヤレス通信ネットワーク２０１内でワイヤレス通信デバイス２５０のモビリティを制限する目的で、ワイヤレス通信デバイス２５０は、  第１のワイヤレス通信ネットワーク２０１において動作する１つ以上の無線アクセスネットワークノード２１１ａ、２１１ｂ、２１２ａ、２１２ｂの標識４４０、４５０を、ネットワークノード２４０から受信する。第１のワイヤレス通信ネットワーク２０１において、ワイヤレス通信デバイス２５０のモビリティは、それら１つ以上の無線アクセスネットワークノード２１１ａ、２１１ｂ、２１２ａ、２１２ｂの間に制限される。
【０１１８】
上で言及したように、標識４４０は、さらに、ワイヤレス通信デバイス２５０が測定を実行するものとされる対象の１つ以上の無線アクセスネットワークノード２１１ａ、２１１ｂ、２１２ａ、２１２ｂ、２１３ａ、２１３ｂの標識であってもよい。そのケースにおいて、標識４４０は、さらに、ワイヤレス通信デバイス２５０がどの無線アクセスネットワークノードの間でもモビリティを実行することを許容されないことを示す。
【０１１９】
上で言及したように、ここでのいくつかの実施形態において、１つ以上の無線アクセスネットワークノード２１１ａ、２１１ｂ、２１２ａ、２１２ｂの標識４４０、４５０は、モビリティセット３７０の標識である。ここでの実施形態の利点は、それらがＷＬＡＮにおけるモビリティセットの概念と一緒に適用され得ることである。
【０１２０】
標識４４０、４５０が１つ以上の無線アクセスネットワークノード２１１ａ、２１１ｂ、２１２ａ、２１２ｂの識別子４６０を含む場合に、識別子４６０は、ＳＳＩＤ（Service  Set  Identifiers）、ＨＥＳＳＩＤ（Homogeneous  Extended  Service  Set  Identifiers）、ＢＳＳＩＤ（Basic  Service  Set  Identifiers）、領域（Realm）、及びＰＬＭＮ（Public  Land  Mobile  Network）のうちの１つ以上を含んでもよい。
【０１２１】
アクション５０１は、上のアクション４００及び４０１並びに以下のアクション６０１に関連する。
【０１２２】
［アクション５０２］
上で言及したように、ネットワークノード２４０が第１のワイヤレス通信ネットワーク２０１においてワイヤレス通信デバイス２５０のモビリティをさらに制御できるように、ワイヤレス通信デバイス２５０は、第１のワイヤレス通信ネットワーク２０１においてワイヤレス通信デバイス２５０の制限されるモビリティの相手に含まれる１つ以上の無線アクセスネットワークノード２１１ａ、２１１ｂ、２１２ａ、２１２ｂの標識４４０、４５０に基づいて、ネットワークノード２４０への測定報告のために、第１のワイヤレス通信ネットワーク２０１において動作するどの無線アクセスネットワークノード２１３ａ、２１３ｂが使用されるべきかを判定する。
【０１２３】
上記標識４４０、４５０に基づいて測定報告のためにどの無線アクセスネットワークノードが使用されるべきかを判定することにより、異なるワイヤレス通信デバイスについて測定報告の条件が同一となり、それによりワイヤレス通信ネットワークの性能が改善される。
【０１２４】
ここでのいくつかの実施形態において、無線アクセスネットワークノード２１１ａ、２１１ｂ、２１２ａ、２１２ｂ、２１３ａ、２１３ｂは、ＷＬＡＮ  ＡＰである。それら実施形態について、上記判定は、測定報告のために使用されるべき無線アクセスネットワークノード２１３ａ、２１３ｂを含めて、サービングＷＬＡＮ及び隣接ＷＬＡＮのうちのいずれか１つ以上を判定すること、を含む。
【０１２５】
いくつかの実施形態において、上記判定は、モビリティセット３７０内の無線アクセスネットワークノード２１１ａ、２１１ｂ、２１２ａ、２１２ｂのうちの少なくとも１つがサービングＷＬＡＮであり、モビリティセット３７０内にない無線アクセスネットワークノードが隣接ＷＬＡＮであると判定すること、を含む。
【０１２６】
いくつかの他の実施形態において、上記判定は、モビリティセット３７０内の接続済みの無線アクセスネットワークノード２１１ａ、２１１ｂ、２１２ａ、２１２ｂがサービングＷＬＡＮであり、モビリティセット３７０内にない無線アクセスネットワークノードが隣接ＷＬＡＮであると判定すること、を含む。当該接続済みの無線アクセスネットワークノード２１１ａ、２１１ｂ、２１２ａ、２１２ｂには、ワイヤレス通信デバイス２５０が接続されている。
【０１２７】
また別のいくつかの実施形態において、上記判定は、モビリティセット３７０内の接続済みの無線アクセスネットワークノード２１１ａ、２１１ｂ、２１２ａ、２１２ｂがサービングＷＬＡＮであり、ワイヤレス通信デバイス２５０へ接続されていない無線アクセスネットワークノードが隣接ＷＬＡＮであると判定すること、を含む。
【０１２８】
ここでのいくつかの実施形態において、上記判定は、１つ以上の無線アクセスネットワークノード２１１ａ、２１１ｂ、２１２ａ、２１２ｂの識別子４６０が特定の無線アクセスネットワークノード２１１ａ、２１１ｂ、２１２ａ、２１２ｂの特定のＢＳＳＩＤ識別子といった特定の識別子である場合に、モビリティセット３７０内の無線アクセスネットワークノード２１１ａ、２１１ｂ、２１２ａ、２１２ｂがサービングＷＬＡＮであると判定すること、をさらに含む。これが後にさらに説明されるであろう。
【０１２９】
上記判定がある時間ピリオドにわたって有効であってもよい。その時間ピリオドは、タイマによって及び／又は時間ピリオドの終了をトリガするイベントによって終了させられてもよい。
【０１３０】
アクション５０２は、上のアクション４０２ａ及び４０２ｂに関連する。
【０１３１】
［アクション５０３］
ワイヤレス通信デバイス２５０が第１のワイヤレス通信ネットワーク２０１における例えば無線リンク条件に関する情報を提供する目的で、ワイヤレス通信デバイス２５０は、第１のワイヤレス通信ネットワーク２０１において動作する複数の無線アクセスネットワークノード２１１ａ、２１１ｂ、２１２ａ、２１２ｂ、２１３ａ、２１３ｂからの１つ以上の無線信号に関連するメトリックを測定し得る。
【０１３２】
ワイヤレス通信デバイス２５０は、例えば信号強度又は信号品質を測定してよい。
【０１３３】
アクション５０３は、上のアクション４０３ａ／４０３ｂに関連する。
【０１３４】
［アクション５０４］
アクション４０４において上で言及したように、ワイヤレス通信デバイス２５０は、モビリティセット３７０の標識４４０、４５０に基づいて、及び、測定されるメトリックにさらに基づいて、測定報告に関連するイベントが発生したかを判定し得る。
【０１３５】
いくつかの実施形態では、モビリティセット３７０内の全ての無線アクセスネットワークノード２１１ａ、２１１ｂ、２１２ａ、２１２ｂが閾値よりも劣悪である場合に、イベントが発生したと判定される。これは、ワイヤレス通信デバイス２５０が不必要な測定報告をトリガせず、それによりシグナリングオーバヘッドの量が低減される、という効果を有する。
【０１３６】
いくつかの他の実施形態では、モビリティセット３７０内にない無線アクセスネットワークノード２１３ａ、２１３ｂが閾値よりも良好となる場合に、イベントが発生したと判定される。
【０１３７】
また別のいくつかの実施形態では、モビリティセット３７０内にない無線アクセスネットワークノード２１３ａ、２１３ｂが第１の閾値よりも良好となる場合において、  モビリティセット３７０内の全ての無線アクセスネットワークノード２１１ａ、２１１ｂ、２１２ａ、２１２ｂが第２の閾値よりも劣悪であるときに、測定報告に関連するイベントが発生したと判定される。
【０１３８】
アクション５０４は、上のアクション４０４に関連する。
【０１３９】
［アクション５０５］
ワイヤレス通信デバイス２５０は、測定報告に関連する上記イベントが発生した場合に、第２のワイヤレス通信ネットワーク２０２において動作するネットワークノード２４０へ１つ以上の測定結果を報告し得る。
【０１４０】
アクション５０５は、上のアクション４０５及び以下のアクション６０２に関連する。
【０１４１】
図６は、ここでの実施形態に係る、測定報告のために使用されるべき１つ以上の無線アクセスネットワークノードの判定においてワイヤレス通信デバイス２５０を支援するための、ｅＮＢといったネットワークノード２４０により実行される方法を説明するフローチャートである。
【０１４２】
［アクション６０１］
いくつかの実施形態において、ネットワークノード２４０は、ワイヤレス通信デバイス２５０へ第１の標識４４０を送信する。第１の標識４４０は、測定オブジェクト３８０内に含まれてもよい。
【０１４３】
ネットワークノード２４０は、第２の標識４５０をワイヤレス通信デバイス２５０へ送信することにより、第２の標識４５０を提供してもよい。
【０１４４】
［アクション６０２］
ネットワークノード２４０は、ワイヤレス通信デバイス２５０により受信される１つ以上の信号に関連する測定報告を受信し得る。例えば、測定報告は、第１の無線アクセスネットワーク２２１といったサービングＷＬＡＮ及び／又は第３の無線アクセスネットワーク２２３といった隣接ＷＬＡＮに関連してもよい。
【０１４５】
上述した測定報告のための方法が、ワイヤレス通信デバイス２５０により実行されてもよい。ワイヤレス通信デバイス２５０は、測定報告のために使用されるべき１つ以上の無線アクセスネットワークノードを判定するために、図７に描いたモジュール群を備え得る。
【０１４６】
それを行うために、ワイヤレス通信デバイス２５０は、測定報告のために構成される。上で言及したように、ここでの実施形態の文脈において、測定報告は、第２のワイヤレス通信ネットワーク２０２において動作するネットワークノード２４０へ第１のワイヤレス通信ネットワーク２０１に関連付けられる測定結果を報告することを含む。言い換えると、測定報告は、第１のワイヤレス通信ネットワーク２０１において動作する無線アクセスネットワークノード２１１ａ、２１１ｂ、２１２ａ、２１２ｂ、２１３ａ、２１３ｂのうちの１つ以上に関連付けられる測定結果を報告することを含む。
【０１４７】
さらに上で言及したように、第１のワイヤレス通信ネットワーク２０１は第１のＲＡＴに従って動作し、第２のワイヤレス通信ネットワーク２０２は第２のＲＡＴに従って動作する。
【０１４８】
ワイヤレス通信デバイス２５０は、第１のワイヤレス通信ネットワーク２０１において動作する１つ以上の無線アクセスネットワークノード２１１ａ、２１１ｂ、２１２ａ、２１２ｂの標識４４０、４５０を、ネットワークノード２４０から受信する、ように構成される例えば受信モジュール７１０の手段により、当該受信を行うように構成され、第１のワイヤレス通信ネットワーク２０１において、ワイヤレス通信デバイス２５０のモビリティは、それら１つ以上の無線アクセスネットワークノード２１１ａ、２１１ｂ、２１２ａ、２１２ｂの間に制限される。
【０１４９】
このようにして、アクション５０１は、ワイヤレス通信デバイス２５０において受信モジュール７１０といった手段により実行され得る。受信モジュール７１０は、少なくとも部分的に、ワイヤレス通信デバイス２５０内のプロセッサ７８０により実装されてもよい。
【０１５０】
ワイヤレス通信デバイス２５０は、さらに、第１のワイヤレス通信ネットワーク２０１においてワイヤレス通信デバイス２５０の制限されるモビリティの相手に含まれる１つ以上の無線アクセスネットワークノード２１１ａ、２１１ｂ、２１２ａ、２１２ｂの標識４４０、４５０に基づいて、ネットワークノード２４０への測定報告のために、第１のワイヤレス通信ネットワーク２０１において動作するどの無線アクセスネットワークノードが使用されるべきかを判定する、ように構成される例えば判定モジュール７２０の手段により、当該判定を行うように構成される。
【０１５１】
ワイヤレス通信デバイス２５０は、測定報告のために使用されるべき無線アクセスネットワークノード２１３ａ、２１３ｂを含めて、サービングＷＬＡＮ及び隣接ＷＬＡＮのうちのいずれか１つ以上を判定する、ように構成される例えば判定モジュール７２０の手段により、当該判定を行うように構成されてもよい。
【０１５２】
いくつかの実施形態において、ワイヤレス通信デバイス２５０は、モビリティセット３７０内の無線アクセスネットワークノード２１１ａ、２１１ｂ、２１２ａ、２１２ｂのうちの少なくとも１つがサービングＷＬＡＮであり、モビリティセット３７０内にない無線アクセスネットワークノードが隣接ＷＬＡＮであると判定する、ように構成される例えば判定モジュール７２０の手段により、当該判定を行うように構成される。
【０１５３】
いくつかの他の実施形態において、ワイヤレス通信デバイス２５０は、モビリティセット３７０内の接続済みの無線アクセスネットワークノード２１１ａ、２１１ｂ、２１２ａ、２１２ｂがサービングＷＬＡＮであり、モビリティセット３７０内にない無線アクセスネットワークノードが隣接ＷＬＡＮであると判定する、ように構成される例えば判定モジュール７２０の手段により、当該判定を行うように構成される。
【０１５４】
また別のいくつかの実施形態において、ワイヤレス通信デバイス２５０は、モビリティセット３７０内の接続済みの無線アクセスネットワークノード２１１ａ、２１１ｂ、２１２ａ、２１２ｂがサービングＷＬＡＮであり、ワイヤレス通信デバイス２５０へ接続されていない無線アクセスネットワークノードが隣接ＷＬＡＮであると判定する、ように構成される例えば判定モジュール７２０の手段により、当該判定を行うように構成される。
【０１５５】
また別のいくつかの実施形態において、ワイヤレス通信デバイス２５０は、１つ以上の無線アクセスネットワークノード２１１ａ、２１１ｂ、２１２ａ、２１２ｂの識別子４６０が特定の無線アクセスネットワークノード２１１ａ、２１１ｂ、２１２ａ、２１２ｂの特定のＢＳＳＩＤ識別子といった特定の識別子である場合に、モビリティセット３７０内の無線アクセスネットワークノード２１１ａ、２１１ｂ、２１２ａ、２１２ｂがサービングＷＬＡＮであると判定する、ように構成される例えば判定モジュール７２０の手段により、当該判定を行うように構成される。
【０１５６】
このようにして、アクション５０２は、ワイヤレス通信デバイス２５０において判定モジュール７２０といった手段により実行され得る。判定モジュール７２０は、少なくとも部分的に、ワイヤレス通信デバイス２５０内のプロセッサ７８０により実装されてもよい。
【０１５７】
ワイヤレス通信デバイス２５０は、第１のワイヤレス通信ネットワーク２０１において動作する複数の無線アクセスネットワークノード２１１ａ、２１１ｂ、２１２ａ、２１２ｂ、２１３ａ、２１３ｂからの１つ以上の無線信号に関連するメトリックを測定する、ように構成される例えば測定モジュール７３０の手段により、当該測定を行うようにさらに構成され得る。
【０１５８】
このようにして、アクション５０３は、ワイヤレス通信デバイス２５０において測定モジュール７３０といった手段により実行され得る。測定モジュール７３０は、少なくとも部分的に、ワイヤレス通信デバイス２５０内のプロセッサ７８０により実装されてもよい。
【０１５９】
ワイヤレス通信デバイス２５０は、第１のワイヤレス通信ネットワーク２０１においてワイヤレス通信デバイス２５０の制限されるモビリティの相手に含まれる１つ以上の無線アクセスネットワークノード２１１ａ、２１１ｂ、２１２ａ、２１２ｂの標識４４０、４５０に基づいて、及び、測定されるメトリックにさらに基づいて、測定報告に関連するイベントが発生したかを判定する、ように構成される例えば判定モジュール７２０及び／又は報告モジュール７４０の手段により、当該判定を行うようにさらに構成され得る。
【０１６０】
ワイヤレス通信デバイス２５０は、上記イベントが発生した場合に、測定結果を報告する、ように構成される例えば報告モジュール７４０の手段により、当該報告を行うようにさらに構成され得る。
【０１６１】
いくつかの実施形態において、ワイヤレス通信デバイス２５０は、ワイヤレス通信デバイス２５０の制限されるモビリティの相手に含まれる全ての無線アクセスネットワークノード２１１ａ、２１１ｂ、２１２ａ、２１２ｂが閾値よりも劣悪である場合に、イベントが発生したと判定する、ように構成される例えば報告モジュール７４０の手段により、当該報告を行うように構成される。
【０１６２】
いくつかの他の実施形態において、ワイヤレス通信デバイス２５０は、モビリティセット３７０内にない無線アクセスネットワークノード２１３ａ、２１３ｂが閾値よりも良好となる場合に、イベントが発生したと判定する、ように構成される例えば報告モジュール７４０の手段により、当該報告を行うように構成される。
【０１６３】
また別のいくつかの実施形態において、ワイヤレス通信デバイス２５０は、
−  モビリティセット３７０内にない無線アクセスネットワークノード２１３ａ、２１３ｂが第１の閾値よりも良好となる場合において、
−  モビリティセット３７０内の全ての無線アクセスネットワークノード２１１ａ、２１１ｂ、２１２ａ、２１２ｂが第２の閾値よりも劣悪であるときに、
測定報告に関連するイベントが発生したと判定する、ように構成される例えば報告モジュール７４０の手段により、当該報告を行うように構成される。
【０１６４】
このようにして、アクション５０４は、ワイヤレス通信デバイス２５０において判定モジュール７２０及び／又は報告モジュール７４０といった手段により実行され得る。
【０１６５】
さらに、アクション５０５がワイヤレス通信デバイス２５０内の報告モジュール７４０といった手段により実行されてもよい。報告モジュール７４０は、少なくとも部分的に、ワイヤレス通信デバイス２５０内のプロセッサ７８０により実装されてもよい。
【０１６６】
上述したワイヤレス通信デバイス２５０が測定報告を実行することを支援するための方法が、ネットワークノード２４０において実行されてもよい。ネットワークノード２４０は、測定報告のために使用されるべき１つ以上の無線アクセスネットワークノードの判定においてワイヤレス通信デバイス２５０を支援するために、図８に描いたモジュール群を備え得る。
【０１６７】
アクション６０１は、ネットワークノード２４０内の送信モジュール８１０といった手段により実行され得る。送信モジュール８１０は、ネットワークノード２４０内のプロセッサ８８０により実装されてもよい。
【０１６８】
アクション６０２は、ネットワークノード２４０内の受信モジュール８２０といった手段により実行され得る。
【０１６９】
［実施形態］
以下の実施形態は、第２のワイヤレス通信ネットワーク２０２としてのＬＴＥ、及び第１のワイヤレス通信ネットワーク２０１としての例えばＷｉ−ＦｉであるＷＬＡＮと共に例示されるであろう。
【０１７０】
ここでの実施形態は、モビリティセット３７０を活用する。モビリティセット３７０は、様々な手法で定義されてよい。
【０１７１】
ワイヤレス通信デバイス２５０がサービングＷＬＡＮ及び隣接ＷＬＡＮをいかに判定し得るかのいくつかの例が以下に提供される。
【０１７２】
いくつかの第１の実施形態において、ワイヤレス通信デバイス２５０は、第１の無線アクセスネットワーク２２１といった、モビリティセット３７０内のＷＬＡＮをサービングＷＬＡＮであると判定する。ワイヤレス通信デバイス２５０は、さらに、第３の無線アクセスネットワーク２２３といった他のＷＬＡＮを隣接ＷＬＡＮであると判定する。当該他のＷＬＡＮは、測定すべき対象のＷＬＡＮとしてワイヤレス通信デバイス２５０へ示されている。例えば、当該他のＷＬＡＮは、モビリティセット３７０には含まれていないが測定オブジェクト３８０により示されていてもよい。当然ながら、モビリティセット３７０内のＷＬＡＮもまた、例えば測定オブジェクト３８０により、測定すべき対象のＷＬＡＮとしてワイヤレス通信デバイス２５０へ示されていてもよい。
【０１７３】
言い換えると、ワイヤレス通信デバイス２５０は、モビリティセット３７０に基づいて、サービングＷＬＡＮ及び／又は隣接ＷＬＡＮを選択する。
【０１７４】
いくつかの第２の実施形態において、ワイヤレス通信デバイス２５０は、ワイヤレス通信デバイス２５０が接続しているＷＬＡＮがサービングＷＬＡＮであると判定し、及び、他のＷＬＡＮが隣接ＷＬＡＮであると判定する。ワイヤレス通信デバイス２５０が接続しているＷＬＡＮは、モビリティセット３７０内に含まれる。よって、これら第２の実施形態において、ワイヤレス通信デバイス２５０は、モビリティセット３７０に基づいて、及びワイヤレス通信デバイス２５０がどのＷＬＡＮへ接続しているかにさらに基づいて、サービングＷＬＡＮ及び／又は隣接ＷＬＡＮを判定する。
【０１７５】
いくつかの第３の実施形態において、ワイヤレス通信デバイス２５０は、ワイヤレス通信デバイス２５０が接続しているＷＬＡＮがサービングＷＬＡＮであると判定し、モビリティセット３７０外のＷＬＡＮが隣接ＷＬＡＮであると判定される。
【０１７６】
いくつかの第４の実施形態において、ワイヤレス通信デバイス２５０は、あるＷＬＡＮが特定のＷＬＡＮを指定する特定のＷＬＡＮ識別子により指定されている場合にのみ、それをサービングＷＬＡＮであると判定する。そうした特定の識別子は、例えば、ＢＳＳＩＤであってもよい。即ち、ワイヤレス通信デバイス２５０は、あるＷＬＡＮがグループ識別子に適合するだけの場合には、そのＷＬＡＮをサービングＷＬＡＮであるとは判定しない。そうしたグループ識別子は、例えば、ＳＳＩＤ又はＨＥＳＳＩＤであってもよい。これが以下でさらに説明され及び例示され、その際にグループ識別子が議論されるであろう。
【０１７７】
［ここでの実施形態の利点］
ワイヤレス通信デバイス２５０がＷＬＡＮに関する測定報告をいつネットワークノード２４０へ送信するものとされるかが良好に定義されることになり、それによりネットワークノード２４０が異なる複数のワイヤレス通信デバイスから同じ条件の間にＷＬＡＮ測定結果を受信するであろうことが確実になる。さらに、ここでの実施形態は、ＷＬＡＮにおけるモビリティセットの概念と整合する。
【０１７８】
また、いくつかの実施形態は、ワイヤレス通信デバイス２５０が不必要な測定報告をトリガしないことを確実にする。これは、シグナリングオーバヘッドの量を低減する。
【０１７９】
［実施形態のさらなる詳細］
ここでの実施形態において、ＵＥといったワイヤレス通信デバイス２５がＷＬＡＮ測定報告機能を動作させる際にモビリティセット３７０内のＷＬＡＮをどのように取り扱うことになるかが説明される。以下の文章において、ワイヤレス通信デバイス２５０は、ＵＥとして言及されるであろう。
【０１８０】
既存の測定報告の仕組みにおいて、ＵＥは、いくつかのイベントに基づいて測定報告を送信するように、ネットワークにより（例えばｅＮＢにより）構成される。ＬＴＥ測定のためのそうした測定イベントの１つの例は、隣接セルがサービングセルよりもある閾値の分良好となることである。この条件が充足される場合、ＵＥは、ｅＮＢへ測定報告を含むメッセージを送信するであろう。
【０１８１】
３ＧＰＰは、現在のところ、ＷＬＡＮ測定報告の定義を進行中であり、ＵＥはそれに従ってＷＬＡＮに関連する測定結果をレポートするものとされる。また、それら測定結果について、ネットワークは、ある条件が充足される場合にＵＥが測定報告を送信するようにトリガする測定イベントと共にＵＥを構成し得る。
【０１８２】
例としての測定イベントは、次を含み得る：
イベントＷ１：ＰＣｅｌｌが第１の閾値よりも劣悪となり、隣接ＷＬＡＮが第２の閾値よりも良好となる。
イベントＷ２：ＰＣｅｌｌが第１の閾値よりも良好となり、サービングＷＬＡＮが第２の閾値よりも劣悪となる。
イベントＷ３：隣接ＷＬＡＮがサービングＷＬＡＮよりもオフセットの分良好となる。
イベントＷ４：隣接ＷＬＡＮが第１の閾値よりも良好となり、サービングＷＬＡＮが第２の閾値よりも劣悪となる。
【０１８３】
上で言及した“ＰＣｅｌｌ”は、ＵＥの主要なＬＴＥサービングセルをいい、即ちＷＬＡＮではない。明瞭さのために、測定報告条件のうちのＬＴＥ固有の部分は、以下では省略される。
【０１８４】
また、留意すべきこととして、ＵＥがモビリティセット３７０と共に構成される場合、測定イベントのうちのいくつかのみが適用可能である。よって、いくつかの実施形態について、モビリティセット３７０は、それが必要である場合に構成されるものと想定される。それら実施形態は、イベントＷ２、Ｗ３及びＷ４に関連する。
【０１８５】
イベントＷ１のケースでは、隣接ＷＬＡＮは、measObjectにより指定されるＷＬＡＮであってよく、モビリティセット３７０内にはない。そのため、それはモビリティセット３７０が無ければmeasObjectにより指定される全てのＷＬＡＮが隣接ＷＬＡＮであると判定され得ることを意味する。
【０１８６】
［サービングＷＬＡＮ  ｖｓ．  隣接ＷＬＡＮの定義］
測定報告イベントを適用する際、上述したような例について、何がサービングＷＬＡＮであって何が隣接ＬＡＮであるかを定義することが必要である。いくつかのオプションがテーブル１に列挙されている
【０１８７】
【表１】
0006527637.tif 000002
【０１８８】
留意すべきこととして、ネットワークは、隣接又はサービングＷＬＡＮをブラックリスト化してもよく、これは、ブラックリスト化されたＷＬＡＮをＵＥが考慮しないことになることを示唆し得る。
【０１８９】
＜第１の実施形態：モビリティセット内のＷＬＡＮが“サービングＷＬＡＮ”であると判定され、他のＷＬＡＮが“隣接ＷＬＡＮ”であると判定される＞
第１の実施形態のいくつかにおいて、ＵＥは、モビリティセット内のいずれのＷＬＡＮも“サービングＷＬＡＮ”であると判定し、モビリティセット３７０内にないいずれのＷＬＡＮも“隣接ＷＬＡＮ”であると判定される。
【０１９０】
以下、“サービングＷＬＡＮ”及び“隣接ＷＬＡＮ”の上の定義を適用しつつ、導かれるＷ１〜Ｗ４測定イベントの定義が説明されるであろう。しかしながら、当業者は、他のタイプのイベント、即ちＷ１〜Ｗ４以外のイベントにも上の定義を適用することが可能であり得る。
【０１９１】
留意すべきこととして、measObject内で与えられるＷＬＡＮに相当するＷＬＡＮ、即ち測定の目標のみが、潜在的な隣接ＷＬＡＮとして考慮される。measObjectは、ＢＳＳＩＤ、ＳＳＩＤ、ＨＥＳＳＩＤのリストとして、例えばネットワークノード２４０から取得され得る。
【０１９２】
［導かれるＷ１定義］：
Ｗ１イベントは、あるＷＬＡＮが閾値よりも良好となることを示し、そうした測定報告の受信に対するあり得るｅＮＢのリアクションは、そのＷＬＡＮをＵＥのモビリティセット３７０へ追加することである。
イベントＷ１：ＵＥのモビリティセット３７０内に「ない」ＷＬＡＮが第２の閾値よりも良好となる。
又は、（上の“サービング”ＷＬＡＮ及び“隣接”ＷＬＡＮの定義を暗黙的に適用しつつ、他のあり得るＷ１の定義）
イベントＷ１´：隣接ＷＬＡＮが第２の閾値よりも良好となる。
【０１９３】
［導かれるＷ２定義］：
Ｗ２イベントは、上の定義と共に、モビリティセット３７０の少なくとも１つのＷＬＡＮが閾値よりも劣悪となることを示す。異なる測定レポートトリガをもたらす異なる定義が可能である。
【０１９４】
モビリティセット３７０内の全てのＷＬＡＮが閾値よりも劣悪となる場合、ｅＮＢは、例えば、ＵＥについてＬＴＥ／ＷＬＡＮアグリゲーション又はＬＴＥ／ＷＬＡＮインターワーキングを停止してもよい。従って、あるＷ２定義は、次の通りである：
イベントＷ２：ＵＥのモビリティセット３７０内の全てのＷＬＡＮが第２の閾値よりも劣悪となる。
【０１９５】
最も高いＲＳＳＩを伴うモビリティセット３７０内のＷＬＡＮ、即ち最良のＷＬＡＮであると考えられ得るＷＬＡＮが第２の閾値よりも劣悪となる場合、それはモビリティセット３７０内の全てのＷＬＡＮが第２の閾値よりも劣悪となることを意味し、よって、上のイベントＷ２のオプションについてのものと振る舞いは同一である：
イベントＷ２：ＵＥのモビリティセット３７０内の最良の（例えば最も高いＲＳＳＩを伴う）ＷＬＡＮが第２の閾値よりも劣悪となる。
【０１９６】
モビリティセット３７０の１つのＷＬＡＮのみが閾値よりも劣悪となる場合、ｅＮＢは、例えばモビリティセット３７０からそのＷＬＡＮを除外してもよい。従って、他のＷ２定義は、次の通りである：
イベントＷ２´´：ＵＥのモビリティセット３７０内のあるＷＬＡＮが第２の閾値よりも劣悪となる。
【０１９７】
［導かれるＷ３定義］：
モビリティセット３７０外のＷＬＡＮがモビリティセット３７０内の全てのＷＬＡＮよりもオフセットの分良好となる場合に、ＵＥが測定報告を送信してもよい。これに対するあり得るｅＮＢの対応は、モビリティセット３７０外のＷＬＡＮをモビリティセット３７０へ追加し、モビリティセット３７０内の全てのＷＬＡＮをモビリティセット３７０から除外することである。これは、モビリティセット３７０内に他のＷＬＡＮ（より良好であり得るＷＬＡＮ）に置き換えられるべき１つのＷＬＡＮのみが存在する場合に特に有益である。
イベントＷ３：モビリティセット３７０外のＷＬＡＮがモビリティセット３７０内の全てのＷＬＡＮよりもオフセットの分良好となる。
【０１９８】
モビリティセット３７０外のＷＬＡＮが最も高いＲＳＳＩを伴うモビリティセット３７０内のＷＬＡＮ（即ち、最良のＷＬＡＮであると考えられ得るＷＬＡＮ）よりもオフセットの分良好となる場合、それは、モビリティセット３７０外のそのＷＬＡＮがモビリティセット３７０内の全てのＷＬＡＮよりも良好であることを意味し、よってイベントＷ３のオプションについてのものと振る舞いは同一である：
イベントＷ３´：モビリティセット３７０外のＷＬＡＮがモビリティセット３７０内の最良の（例えば最も高いＲＳＳＩを伴う）ＷＬＡＮよりもオフセットの分良好となる。
【０１９９】
モビリティセット３７０外のＷＬＡＮがモビリティセット３７０のいずれかのＷＬＡＮよりもオフセットの分良好となる場合に、ｅＮＢは、例えばモビリティセット３７０外のそのＷＬＡＮを追加し、オフセット分劣悪なモビリティセット３７０内のそのＷＬＡＮを除外してもよい。従って、他のＷ３定義は、次の通りである：
イベントＷ３´´：モビリティセット３７０外のＷＬＡＮがモビリティセット３７０内のＷＬＡＮよりもオフセットの分良好となる。モビリティセット３７０外のＷＬＡＮと比較されるモビリティセット３７０内のＷＬＡＮは、例えば、２番目に高いＲＳＳＩを有していてもよい。
【０２００】
［導かれるＷ４定義］：
Ｗ４イベントは、Ｗ１についてのオプション及びＷ２についてのオプションの組み合わせを含む。例えば、Ｗ１及びＷ２の組み合わせが以下に説明される。これは、モビリティセット３７０外のＷＬＡＮが第１の閾値よりも良好となり、モビリティセット３７０内の全てのＷＬＡＮが第２の閾値よりも劣悪となる場合に、ｅＮＢが第１の閾値よりも良好となるＷＬＡＮをモビリティセット３７０へ追加し及び第２の閾値よりも劣悪となったモビリティセット３７０内のＷＬＡＮを除外することが有益であり得ることを意味する。
イベントＷ４−Ｗ１及びＷ２の組み合わせ：モビリティセット３７０外のＷＬＡＮが第１の閾値よりも良好となり、モビリティセット３７０内の全てのＷＬＡＮが第２の閾値よりも劣悪となる。
【０２０１】
示したように、Ｗ４イベントは、Ｗ１及びＷ２についてのオプションの組み合わせとして理解されてよく、よって、Ｗ１及びＷ２の異なるオプションを組み合わせることにより、異なるＷ４オプションが想起され得る。
【０２０２】
＜第２の実施形態：ＵＥが接続しているＷＬＡＮが“サービングＷＬＡＮ”であると判定され、他のＷＬＡＮが“隣接ＷＬＡＮ”であると判定される＞
いくつかの実施形態において、ＵＥは、ＵＥがその時点で接続しているＷＬＡＮのみを“サービングＷＬＡＮ”として見なし、ＵＥのモビリティセット３７０内にあり得る他のＷＬＡＮは“隣接ＷＬＡＮ”として見なされる。これにより、上で列挙したイベントは次のような意味を有することになる。
【０２０３】
以下、“サービングＷＬＡＮ”及び“隣接ＷＬＡＮ”の第２の実施形態の定義を適用しつつ、導かれるＷ１〜Ｗ４測定イベントの定義が説明されるであろう。しかしながら、当業者は、Ｗ１〜Ｗ４以外の他のタイプのイベントにも上の定義を適用することが可能であり得る。
【０２０４】
［導かれるＷ１定義］：
Ｗ１イベントは、あるＷＬＡＮが閾値よりも良好となる場合にトリガを行い、そうした測定報告の受信に対するあり得るｅＮＢのリアクションは、そのＷＬＡＮをＵＥのモビリティセット３７０へ追加することである。
イベントＷ１：ＵＥが接続していないＷＬＡＮが第２の閾値よりも良好となる。
【０２０５】
［導かれるＷ２定義］：
Ｗ２イベントは、（もしあれば）ＵＥが接続しているＷＬＡＮが閾値よりも劣悪となる場合にトリガを行い、そうした測定報告の受信に対するあり得るｅＮＢのリアクションは、そのＷＬＡＮをＵＥのモビリティセット３７０から除外することである。
イベントＷ２：ＵＥが接続しているＷＬＡＮが第２の閾値よりも劣悪となる。
【０２０６】
［導かれるＷ３定義］：
Ｗ３イベントは、ＵＥが接続していないＷＬＡＮがＵＥが接続しているＷＬＡＮよりもオフセットの分良好となる場合にトリガを行う。これに対するあり得るｅＮＢの対応は、ＵＥが接続していないＷＬＡＮをモビリティセット３７０内に未だ無い場合にモビリティセット３７０へ追加し、ＵＥが接続しているＷＬＡＮがモビリティセット３７０から除外されることである。
イベントＷ３：ＵＥが接続していないＷＬＡＮがＵＥが接続しているＷＬＡＮよりもオフセットの分良好となる。
【０２０７】
［導かれるＷ４定義］：
Ｗ４イベントは、Ｗ１及びＷ２の組み合わせを含む。これは、ＵＥが接続していないＷＬＡＮが第１の閾値よりも良好となり、ＵＥが接続しているＷＬＡＮが第２の閾値よりも劣悪となる場合に、ｅＮＢが第１の閾値よりも良好となるＷＬＡＮをモビリティセット３７０内に未だ無い場合にモビリティセット３７０へ追加し及び第２の閾値よりも劣悪となったモビリティセット３７０内のＷＬＡＮを除外することが有益であり得ることを意味する。
イベントＷ４（Ｗ１及びＷ２の組み合わせ）：ＵＥが接続していないＷＬＡＮが第１の閾値よりも良好となり、ＵＥが接続しているＷＬＡＮが第２の閾値よりも劣悪となる。
【０２０８】
＜第３の実施形態：ＵＥが接続しているＷＬＡＮが“サービングＷＬＡＮ”であると判定され、モビリティセット３７０外のＷＬＡＮが“隣接ＷＬＡＮ”であると判定される＞
いくつかの実施形態において、ＵＥは、ＵＥがその時点で接続しているＷＬＡＮのみを“サービングＷＬＡＮ”として見なし、モビリティセット３７０外のＷＬＡＮは“隣接ＷＬＡＮ”として見なされる。これにより、上で列挙したイベントは次のような意味を有することになる。
【０２０９】
以下、“サービングＷＬＡＮ”及び“隣接ＷＬＡＮ”の上の定義を適用しつつ、導かれるＷ１〜Ｗ４測定イベントの定義が説明される。しかしながら、当業者は、Ｗ１〜Ｗ４以外の他のタイプのイベントにも上の定義を適用することが可能であり得る。
【０２１０】
［導かれるＷ１定義］：
Ｗ１イベントは、あるＷＬＡＮが閾値よりも良好となる場合にトリガを行い、そうした測定報告の受信に対するあり得るｅＮＢのリアクションは、そのＷＬＡＮをＵＥのモビリティセット３７０へ追加することである。
イベントＷ１：モビリティセット３７０内にないＷＬＡＮが第２の閾値よりも良好となる。
【０２１１】
［導かれるＷ２定義］：
Ｗ２イベントは、（もしあれば）ＵＥが接続しているＷＬＡＮが閾値よりも劣悪となる場合にトリガを行う。そうした測定報告の受信に対するあり得るｅＮＢのリアクションは、そのＷＬＡＮをＵＥのモビリティセット３７０から除外することである。
イベントＷ２：ＵＥが接続しているＷＬＡＮが第２の閾値よりも劣悪となる。
【０２１２】
［導かれるＷ３定義］：
これら実施形態について、Ｗ３イベントは、モビリティセット３７０内にないＷＬＡＮがＵＥが接続しているＷＬＡＮよりもオフセットの分良好となる場合にトリガを行う。これに対するあり得るｅＮＢの対応は、ＵＥのモビリティセット３７０内にないより良好であったＷＬＡＮをモビリティセット３７０へ追加し、ＵＥが接続しているＷＬＡＮがモビリティセット３７０から除外されることである。
イベントＷ３：モビリティセット３７０内にないＷＬＡＮがＵＥが接続しているＷＬＡＮよりもオフセットの分良好となる。
【０２１３】
［導かれるＷ４定義］：
Ｗ４イベントは、Ｗ１及びＷ２の組み合わせを含む。これは、ＵＥのモビリティセット３７０内にないＷＬＡＮが第１の閾値よりも良好となり、ＵＥが接続しているＷＬＡＮが第２の閾値よりも劣悪となる場合に、ｅＮＢが第１の閾値よりも良好となるＷＬＡＮをモビリティセット３７０へ追加し及び第２の閾値よりも劣悪となったモビリティセット３７０内のＷＬＡＮを除外することが有益であり得ることを意味する。
イベントＷ４（Ｗ１及びＷ２の組み合わせ）：ＵＥのモビリティセット３７０内にないＷＬＡＮが第１の閾値よりも良好となり、ＵＥが接続しているＷＬＡＮが第２の閾値よりも劣悪となる。
【０２１４】
［グループＷＬＡＮ識別子の取扱い］
ＵＥは、例えばＳＳＩＤ又はＨＥＳＳＩＤといった、ＷＬＡＮのグループを指定するＷＬＡＮ識別子と共にモビリティセット３７０において構成されてもよい。これらのタイプの識別子はグループ識別子として言及され得る。
【０２１５】
ＷＬＡＮのグループを指定するＷＬＡＮ識別子とは反対に、ＵＥは、特定のＷＬＡＮのみを指定するＷＬＡＮ識別子、即ち、例えばＢＳＳＩＤといったＷＬＡＮ  ＡＰと共に構成されてもよい。これらのタイプの識別子は特定識別子として言及され得る。
【０２１６】
ＵＥがグループ識別子と共にモビリティセット３７０において構成される場合、ＵＥは、そのグループ識別子に適合するどのＷＬＡＮもサービングＷＬＡＮであると判定してよい。ＵＥは、さらに、他のＷＬＡＮをそれらがモビリティセット内の何らかの他の識別子に適合しない限り（適合する場合それらはサービングＷＬＡＮとなるため）隣接ＷＬＡＮであると判定してもよい。言い換えると、いくつかのＷＬＡＮがモビリティセット３７０内の他のＷＬＡＮ識別子に起因してサービングＷＬＡＮと見なされてもよく、即ち、ＷＬＡＮは、それがモビリティセット内のいずれかのＷＬＡＮ識別子に適合する場合にサービングＷＬＡＮと見なされる。例えば、ＵＥがモビリティセット３７０においてＳＳＩＤ＝Ｘと共に構成される場合、ＵＥは、ＳＳＩＤ＝Ｘに適合する全てのＷＬＡＮがサービングＷＬＡＮであると判定してよく、一方で、他の（ＳＳＩＤ＝Ｘに適合せず、モビリティセット３７０内の他のＷＬＡＮ識別子にも適合しない）ＷＬＡＮは隣接ＷＬＡＮであると判定される。
【０２１７】
いくつかの他の実施形態において、ＵＥは、あるＷＬＡＮが特定識別子により指定されていて但しグループ識別子に適合するのみではない場合に、そのＷＬＡＮをサービングＷＬＡＮであると判定する。ＵＥは、さらに他のＷＬＡＮを隣接ＷＬＡＮであると判定してもよい。例えば、ＵＥがモビリティセット３７０においてＳＳＩＤ＝Ｘ及びＢＳＳＩＤ＝Ａと共に構成され、それらＷＬＡＮ  ＩＤが重複する場合、ＵＥは、あるＷＬＡＮがＢＳＳＩＤ＝Ａに適合する場合にそのＷＬＡＮをサービングＷＬＡＮであると判定し、他のＷＬＡＮはＳＳＩＤ＝Ｘに適合するとしても隣接ＷＬＡＮであると判定してもよい。
【０２１８】
ＷＬＡＮ識別子は、ＳＳＩＤ、ＢＳＳＩＤ、ＨＥＳＳＩＤ、領域、及びＰＬＭＮを含む様々なタイプのものであってよい。ＷＬＡＮは、１つ以上の領域（Realm）の一部であってもよく、及び／又はそれらへ接続されてもよい。領域とは、ある者の認証先となり得るドメインである。例えば、空港に位置するＷＬＡＮを運用する第１の事業者が、第２の事業者の顧客、よってそれらのワイヤレス通信デバイスが第１の事業者のＷＬＡＮへ接続し得るように、第２の事業者との協定を有してもよい。その場合、第１の事業者のＷＬＡＮは、第１の事業者の領域及び第２の事業者の領域の双方へ接続されることになる。
【０２１９】
留意すべきこととして、ＷＬＡＮは、概して、それらに関連付けられる複数の識別子を有する。例えば、ＷＬＡＮ  ＡＰは、ＢＳＳＩＤ、ＳＳＩＤ及びＨＥＳＳＩＤなどを有し得る。
【０２２０】
上で言及したように、ここでの実施形態の目的は、１つ以上のワイヤレス通信ネットワークの性能を改善することである。
【０２２１】
ここでの実施形態は、上で識別した問題のうちの少なくともいくつかを、ネットワークノード２４０への測定報告にどの無線アクセスネットワークノードを含めるべきかを判定することにより解決する。例えば、ここでのいくつかの実施形態において、ＵＥといったワイヤレス通信デバイス２５０は、モビリティセット３７０の標識に基づいて、サービングＷＬＡＮ及び／又は隣接ＷＬＡＮを判定する。
【０２２２】
ここでのいくつかの実施形態によれば、上記目的は、ワイヤレス通信デバイス２５０により実行される、測定報告手続のための方法により達成される、
【０２２３】
例えば、その方法は、測定報告のための１つ以上の無線アクセスネットワークノードを判定し又は選択するために使用される。ワイヤレス通信デバイス２５０は、サービングＷＬＡＮ及び／又は隣接ＷＬＡＮを判定し得る。
【０２２４】
ここでのいくつかの他の実施形態によれば、上記目的は、ネットワークノード２４０により実行される、ワイヤレス通信デバイス２５０による測定報告手続の実行を支援するための方法により達成される。
【０２２５】
例えば、その方法は、測定報告のための１つ以上の無線アクセスネットワークノードの判定又は選択においてワイヤレス通信デバイス２５０を支援するために使用される。
【０２２６】
ネットワークノード２４０は、ワイヤレス通信デバイス２５０へ、ワイヤレス通信デバイス２５０がモビリティを実行し得る１つ以上の無線アクセスネットワークノードの標識を送信してもよい。
【０２２７】
ネットワークノード２４０は、さらに、測定報告を受信してもよい。測定報告は、ワイヤレス通信デバイス２５０がネットワークノード２４０への測定報告のために使用されるべきであると判定した１つ以上の無線アクセスネットワークノードのうちの１つ以上に関連する信号の測定結果に基づいてもよい。
【０２２８】
ここでのいくつかの実施形態によれば、上記目的は、上記方法を実行するように構成されるネットワークノード２４０により達成される。
【０２２９】
ここでの実施形態は、図７に描いたワイヤレス通信デバイス２５０内のプロセッサ７８０、図８に描いたネットワークノード２４０内のプロセッサ８８０といった１つ以上のプロセッサを通じて、ここでの実施形態の機能及びアクションを実行するためのコンピュータプログラムコードと一緒に実装されてもよい。また、上で言及したプログラムコードは、例えばワイヤレス通信デバイス２５０及びネットワークノード２４０へロードされた場合にここでの実施形態を遂行するためのコンピュータプログラムコード７９２、８９２を担持するデータ担体７９１、８９１の形式で、コンピュータプログラムプロダクトとして提供されてもよい。１つのそのような担体は、ＣＤ  ＲＯＭディスクの形式であってもよい。但し、それはメモリスティックといった他のデータ担体でも実現可能である。そのうえ、コンピュータプログラムコードは、サーバ上の純粋なプログラムコードとして提供され、ワイヤレス通信デバイス２５０及びネットワークノード２４０へダウンロードされてもよい。
【０２３０】
よって、ワイヤレス通信デバイス２５０及びネットワークノード２４０のための、ここで説明した実施形態に係る方法は、コンピュータプログラムプロダクトという手段により実装されてもよく、当該コンピュータプログラムプロダクトは、少なくとも１つのプロセッサ上で実行された場合に、ワイヤレス通信デバイス２５０及びネットワークノード２４０により実行されるものとしてここで説明したアクションを当該少なくとも１つのプロセッサに遂行させる命令、即ち、ソフトウェアコード部分を含む。コンピュータプログラムプロダクトは、コンピュータ読取可能な記憶媒体上に記憶されてもよい。コンピュータ読取可能な記憶媒体は、コンピュータプログラムを記憶しており、少なくとも１つのプロセッサ上で実行された場合に、ワイヤレス通信デバイス２５０及びネットワークノード２４０により実行されるものとしてここで説明したアクションを当該少なくとも１つのプロセッサに遂行させる命令、を含み得る。いくつかの実施形態において、コンピュータ読取可能な記憶媒体は、非一時的なコンピュータ読取可能な記憶媒体であってもよい。
【０２３１】
ワイヤレス通信デバイス２５０及びネットワークノード２４０は、さらに、１つ以上のメモリユニットを含むメモリ７９０、８９０を各々含んでもよい。メモリ７９０、８９０は、ワイヤレス通信デバイス２５０及びネットワークノード２４０において実行された場合にここでの方法を実行するための、モビリティセット３７０の標識、ＡＰ及びＷＬＡＮの識別子、無線アクセスノードからの信号の測定結果、測定報告又はその一部、並びに、アプリケーションなどといった、取得される情報を記憶するために使用される、ように構成される。
【０２３２】
“含む／備える（comprise）”又は“含む／備える（comprising）”という語を使用する場合、それは、非限定的なものとして、即ち、“から少なくともなる（consist  at  least  of）”の意味として、解釈されるものとされる。
【０２３３】
前述の説明及び関連付けられる図面に提示された教示の恩恵を受ける、開示された実施形態の変形例及び他の実施形態が、当業者には思い浮かぶであろう。したがって、理解されるべきこととして、それら実施形態は、開示される特定の実施形態に限定されるべきではなく、本開示のスコープの範囲内に変形例及び他の実施形態が含まれることが意図される。ここでは固有の用語が採用されているかもしれないが、それらは総称的及び記述的な意味合いでのみ使用されており、限定の目的では使用されていない。
【０２３４】
したがって、そのスコープを上の実施形態が限定するものとして受け取られるべきではなく、スコープは添付の特許請求の範囲により定義される。
【０２３５】
なお、ここでの実施形態を例示するために、本開示において３ＧＰＰ  ＬＴＥ／ＳＡＥ及びＷＬＡＮ／Ｗｉ−Ｆｉからの専門用語が使用されているものの、これはここでの実施形態のスコープを前述のネットワークのタイプのみに限定するものとして見られるべきではない。他のワイヤレスネットワークのタイプもまた、本開示の範囲内でカバーされるアイディアを活用することから恩恵を受け得る。
【０２３６】
また、第１の無線アクセスノード及び第２の無線アクセスノードといった専門用語は、非限定的であると見なされるべきであり、それら二者間の何らの階層関係をも特に暗示するものではないことにも留意されたい。
【図１ａ】
0006527637.tif 000003
【図１ｂ】
0006527637.tif 000004
【図１ｃ】
0006527637.tif 000005
【図２】
0006527637.tif 000006
【図３】
0006527637.tif 000007
【図４ａ】
0006527637.tif 000008
【図４ｂ】
0006527637.tif 000009
【図５】
0006527637.tif 000010
【図６】
0006527637.tif 000011
【図７】
0006527637.tif 000012
【図８】
0006527637.tif 000013